(57)【要約】一つ又は複数の第１の微細構造を有するセキュリティエレメントであって、第１の微細構造は、少なくとも所定のセクションにおいて湾曲した一つ又は複数の軌道あるいは少なくとも所定のセクションにおいて湾曲した軌道の一つ又は複数のセクションにそれぞれ設けられ、及び／又は、少なくとも所定のセクションにおいて湾曲した一つ又は複数の軌道あるいは少なくとも所定のセクションにおいて湾曲した軌道の一つ又は複数のセクションに沿ってそれぞれ延在している。方法では、一つ又は複数のイメージエレメントのイメージ点を含む少なくとも１つのファイルが設けられ、当該ファイルは、イメージ点の位置的配置を含み、少なくとも所定のセクションにおいて湾曲した一つ又は複数の軌道又は少なくとも所定のセクションにおいて湾曲した一つ又は複数の軌道の一つ又は複数のセクションは、イメージ点の位置的配置から決定され、一つ又は複数の軌道又は軌道のセクションにおいて、照射されたときに光学的に可変の情報の第１の項目、特に一つ又は複数の３Ｄ効果及び／又はムーブメント効果、好ましくは無彩色又は単色の３Ｄ効果及び／又はムーブメント効果を生じさせる一つ又は複数の第１の微細構造が設けられる。
2020512589.tif 000002
【特許請求の範囲】
【請求項１】
一つ又は複数の第１の微細構造（１０）を有するセキュリティエレメント（１）であって、
前記第１の微細構造（１０）は、少なくとも所定のセクションにおいて湾曲した一つ又は複数の軌道（２，２ａ〜２ｕ）あるいは少なくとも所定のセクションにおいて湾曲した軌道（２，２ａ〜２ｕ）の一つ又は複数のセクションにそれぞれ設けられ、及び／又は、少なくとも所定のセクションにおいて湾曲した一つ又は複数の軌道（２，２ａ〜２ｕ）あるいは少なくとも所定のセクションにおいて湾曲した軌道（２，２ａ〜２ｕ）の一つ又は複数のセクションに沿ってそれぞれ延在している、ことを特徴とするセキュリティエレメント（１）。
【請求項２】
前記第１の微細構造（１０）は、光学的に可変の情報の第１の項目を提供し、特に一つ又は複数の３Ｄ効果及び／又はムーブメント効果を生じさせ、好ましくは無彩色又は単色の３Ｄ効果及び／又はムーブメント効果を生じさせる、ことを特徴とする請求項１に記載のセキュリティエレメント（１）。
【請求項３】
前記光学的に可変の情報の第１の項目は、複数のイメージ点（３ａ〜３ｕ）からなる一つ又は複数のイメージエレメント（３，３’〜３ＩＸ）を有し、
前記イメージ点（３ａ〜３ｕ）は、前記軌道（２，２ａ〜２ｕ）の異なる軌道に設けられるか、又は、前記軌道（２，２ａ〜２ｕ）の異なる軌道に沿って延在する第１の微細構造（１０）により設けられる、ことを特徴とする請求項２に記載のセキュリティエレメント（１）。
【請求項４】
光学的に可変の情報の第１の項目は、複数のイメージ点（３ａ〜３ｕ）からなる一つ又は複数のイメージエレメント（３，３’〜３ＩＸ）を有し、
イメージ点（３ａ〜３ｕ）の各々は、前記第１の微細構造（１０）のうち割り当てられた第１の微細構造により設けられ、
割り当てられた第１の微細構造（１０）の各々は、前記一つ又は複数の軌道（２，２ａ〜２ｕ）の割り当てられた軌道（２，２ａ〜２ｕ）に設けられるか、あるいは前記一つ又は複数の軌道（２，２ａ〜２ｕ）の割り当てられた軌道（２，２ａ〜２ｕ）に沿ってそれぞれ延在し、
特に、前記一つ又は複数の軌道（２，２ａ〜２ｕ）の異なる１つの軌道がイメージ点（２，２ａ〜２ｕ）の各々に割り当てられる、ことを特徴とする請求項１〜３のいずれかに記載のセキュリティエレメント（１）。
【請求項５】
前記セキュリティエレメント（１）が傾斜及び／又は折曲及び／又は回転中に少なくとも１つの光源、さらに好ましくは少なくとも１つの点光源により照射されると、一つ又は複数のイメージ点（３ａ〜３ｕ）が割り当てられた軌道（２，２ａ〜２ｕ）に沿って移動する、ことを特徴とする請求項１〜４のいずれかに記載のセキュリティエレメント（１）。
【請求項６】
前記セキュリティエレメント（１）の傾斜及び／又は回転中における一定の角速度で前記軌道（２，２ａ〜２ｕ）に沿った前記イメージ点（３ａ〜３ｕ）の移動速度は、互いに異なり、かつ及び／又は互いに異なる移動速度曲線を有する、ことを特徴とする請求項５に記載のセキュリティエレメント（１）。
【請求項７】
軌道（２，２ａ〜２ｕ）ごとに前記第１の微細構造（１０）により設けられるイメージ点（３ａ〜３ｕ）の数は、光源、特に点光源の数に対応している、ことを特徴とする請求項１〜６のいずれかに記載のセキュリティエレメント（１）。
【請求項８】
前記第１の微細構造（１０）は、前記セキュリティエレメント（１）が傾斜及び／又は折曲及び／又は回転したときに第１の光学的効果として、ムーブメント効果、モーフィング効果及び／又は反転効果を生じさせる一連のイメージエレメント（３，３’〜３ＩＸ）を生じさせる、ことを特徴とする請求項１〜７のいずれかに記載のセキュリティエレメント（１）。
【請求項９】
前記第１の微細構造（１０）は、前記セキュリティエレメント（１）が傾斜及び／又は折曲及び／又は回転したときに第１の光学的効果として、３Ｄムーブメント効果、３Ｄモーフィング効果及び／又は３Ｄ反転効果を生じさせる一連のイメージエレメント（３，３’〜３ＩＸ）を生じさせる、ことを特徴とする請求項１〜８のいずれかに記載のセキュリティエレメント（１）。
【請求項１０】
一連のイメージエレメント（３，３’〜３ＩＸ）は、前記セキュリティエレメント（１）が傾斜及び／又は折曲及び／又は回転したときの前記軌道（２，２ａ〜２ｕ）に沿ったイメージ点（３ａ〜３ｕ）の移動により生じる、ことを特徴とする請求項１〜９のいずれかに記載のセキュリティエレメント（１）。
【請求項１１】
前記一つ又は複数の軌道（２，２ａ〜２ｕ）は、各々の場合、円弧形及び／又は円形の軌道として形成され、
特に一つ又は複数のイメージエレメント（３，３’〜３ＩＸ）の少なくとも２つのイメージエレメントは、前記一つ又は複数のイメージエレメント（３，３’〜３ＩＸ）の前記少なくとも２つのイメージエレメントが、好ましくは各々の割り当てられた円形軌道上の同じ位置に配置されないように、好ましくは前記少なくとも２つのイメージエレメント（３，３’〜３ＩＸ）が各々の割り当てられた円形軌道の反対側に位置するように、配置及び／又は配列される、ことを特徴とする請求項１〜１０のいずれかに記載のセキュリティエレメント（１）。
【請求項１２】
前記円形軌道の一つ又は複数の中心点（Ｍ，４ａ〜４ｊ，４ｋ，４ｑ）は、ランダム又は擬似ランダムに配置される、ことを特徴とする請求項１１に記載のセキュリティエレメント（１）。
【請求項１３】
円形軌道の一つ又は複数の中心点（Ｍ，４ａ〜４ｊ，４ｋ，４ｑ）の２つ以上の中心点は同一位置を有し、
好ましくは、特に少なくとも７５％、好ましくは少なくとも９０％、特に好ましくは全ての円形軌道の前記中心点（Ｍ，４ａ〜４ｊ，４ｋ，４ｑ）は、最大の円形軌道の半径の１０％以下、好ましくは半径の５％以下である最大距離を互いの間に有し、及び／又は
好ましくは、特にほとんど、好ましくは全ての円形軌道の前記中心点（Ｍ，４ａ〜４ｊ，４ｋ，４ｑ）は、３ｍｍ以下、さらに好ましくは１ｍｍ以下、特に好ましくは０．５ｍｍ以下である最大距離を互いの間に有する、ことを特徴とする請求項１１又は１２に記載のセキュリティエレメント（１）。
【請求項１４】
前記一つ又は複数の軌道（２，２ａ〜２ｕ）は、楕円軌道としてそれぞれ形成されている、ことを特徴とする請求項１〜１３のいずれかに記載のセキュリティエレメント（１）。
【請求項１５】
前記一つ又は複数の軌道（２，２ａ〜２ｕ）は、閉軌道及び／又は開軌道としてそれぞれ形成されている、ことを特徴とする請求項１〜１４のいずれかに記載のセキュリティエレメント（１）。
【請求項１６】
前記軌道（２，２ａ〜２ｕ）の少なくとも５０％、好ましくは７０％、特に好ましくは９０％は、閉軌道の少なくとも５分の１、好ましくは少なくとも４分の１、特に好ましくは少なくとも３分の１、特に好ましくは少なくとも半分を形成するか、あるいは、少なくとも４分の１円、好ましくは少なくとも３分の１円、特に好ましくは半円を形成する、ことを特徴とする請求項１〜１５のいずれかに記載のセキュリティエレメント（１）。
【請求項１７】
前記一つ又は複数の軌道（２，２ａ〜２ｕ）の幅は、各々の軌道の進行方向に応じて変化し、特に少なくとも所定のセクションにおいて各々の軌道の進行方向に沿って連続及び／又は不連続に変化し、
前記各々の軌道（２，２ａ〜２ｕ）の幅は、前記各々の軌道の長手方向縁部間の距離によって決まる、ことを特徴とする請求項１〜１６のいずれかに記載のセキュリティエレメント（１）。
【請求項１８】
前記一つ又は複数の軌道（２，２ａ〜２ｕ）の半径（Ｒｆ〜Ｒｐ）及び／又は曲率及び／又は曲率半径は、各々の軌道の進行方向に応じて変化し、特に、少なくとも所定のセクションにおいて前記各々の軌道の進行方向に沿って連続及び／又は不連続に変化する、ことを特徴とする請求項１〜１７のいずれかに記載のセキュリティエレメント（１）。
【請求項１９】
前記一つ又は複数の軌道（２，２ａ〜２ｕ）の幅は、各々の軌道の１つの半径又は複数の半径（Ｒｆ〜Ｒｐ）よりも小さく、及び／又は、各々の軌道の曲率半径よりも小さい、ことを特徴とする請求項１〜１８のいずれかに記載のセキュリティエレメント（１）。
【請求項２０】
前記一つ又は複数の軌道（２，２ａ〜２ｕ）の幅は、３μｍ〜３００μｍ、好ましくは１０μｍ〜１００μｍである、ことを特徴とする請求項１〜１９のいずれかに記載のセキュリティエレメント（１）。
【請求項２１】
前記一つ又は複数の軌道（２，２ａ〜２ｕ）、特に全ての軌道の曲率は、前記軌道の進行方向全体に亘って符号が変わらない、ことを特徴とする請求項１〜２０のいずれかに記載のセキュリティエレメント（１）。
【請求項２２】
前記一つ又は複数の軌道（２，２ａ〜２ｕ）、特に全ての軌道、さらに好ましくは全ての円形及び／又は楕円軌道は互いに異なる曲率進行を有する、ことを特徴とする請求項１〜２１のいずれかに記載のセキュリティエレメント（１）。
【請求項２３】
２つ以上の軌道、特に全ての軌道、さらに好ましくは全ての円形及び／又は楕円軌道の曲率進行は同一である、ことを特徴とする請求項１〜２２のいずれかに記載のセキュリティエレメント（１）。
【請求項２４】
前記一つ又は複数の軌道（２，２ａ〜２ｕ）、特に全ての軌道の曲率は、０．０２ｍｍ−１〜２ｍｍ−１、好ましくは０．１ｍｍ−１〜１ｍｍ−１である、ことを特徴とする請求項１〜２３のいずれかに記載のセキュリティエレメント（１）。
【請求項２５】
前記セキュリティエレメント（１）は、光学情報の第２の項目、特に光学的に可変の情報の第２の項目を生じさせる一つ又は複数の第２の微細構造（２０）を有する、ことを特徴とする請求項１〜２４のいずれかに記載のセキュリティエレメント（１）。
【請求項２６】
前記一つ又は複数の第１の微細構造（１０）及び／又は一つ又は複数の第２の微細構造（２０）は、各々の場合に体積ホログラムとして形成されている、ことを特徴とする請求項１〜２５のいずれかに記載のセキュリティエレメント（１）。
【請求項２７】
前記一つ又は複数の第１の微細構造（１０）及び／又は一つ又は複数の第２の微細構造（２０）は、レリーフ構造として形成されている、ことを特徴とする請求項１〜２６のいずれかに記載のセキュリティエレメント（１）。
【請求項２８】
前記一つ又は複数の第１の微細構造（１０）は、複数の第１の微細構造エレメント（１００）を有し、一つ又は複数の第２の微細構造（２０）は、複数の第２の微細構造エレメント（２００）を有し、
特に前記第１又は第２の微細構造エレメントは、前記第１又は第２の微細構造エレメントの間隔、レリーフ深さ、レリーフ形状、前記第１又は第２の微細構造エレメントの長手方向の向きのパラメータによりそれぞれ特徴づけられる、ことを特徴とする請求項１〜２７のいずれかに記載のセキュリティエレメント（１）。
【請求項２９】
前記一つ又は複数の第１の微細構造（１０）及び／又は一つ又は複数の第２の微細構造（２０）は、格子として、特に正弦波格子（１０ａ）として及び／又は三角格子として形成される、ことを特徴とする請求項１〜２８のいずれかに記載のセキュリティエレメント（１）。
【請求項３０】
前記一つ又は複数の第１の微細構造（１０）及び／又は一つ又は複数の第２の微細構造（２０）は、鋸歯状の微細構造として、特にブレーズド回折格子（１０ｄ）としてそれぞれ形成され、
前記ブレーズド回折格子（１０ｄ）の格子周期は、好ましくは６μｍであり、及び／又は、前記ブレーズド回折格子（１０ｄ）の格子深さは、好ましくは２μｍである、ことを特徴とする請求項１〜２９のいずれかに記載のセキュリティエレメント（１）。
【請求項３１】
一つ又は複数の第１の微細構造エレメント（１００）及び／又は一つ又は複数の第２の微細構造エレメント（１００）の間隔は、それぞれ０．５μｍ〜５０μｍ、好ましくは２μｍ〜２０μｍ、特に好ましくは３μｍ〜１０μｍであり、及び／又は、前記一つ又は複数の第１の微細構造エレメント（１００）及び／又は前記一つ又は複数の第２の微細構造エレメント（２００）のレリーフ深さは、それぞれ５０ｎｍ〜５０００ｎｍ、好ましくは１００ｎｍ〜３０００ｎｍであり、及び／又は、前記一つ又は複数の第１の微細構造エレメント（１００）及び／又は前記一つ又は複数の第２の微細構造エレメント（２００）のレリーフ形状は、正弦波、三角形、鋸歯状、台形からそれぞれ選択される、ことを特徴とする請求項１〜３０のいずれかに記載のセキュリティエレメント（１）。
【請求項３２】
前記一つ又は複数の第１の微細構造エレメント（１００）及び／又は一つ又は複数の第２の微細構造エレメント（２００）は、線形状をそれぞれ有し、特に三角形の断面を有する格子線の形態で形成される、ことを特徴とする請求項１〜３１のいずれかに記載のセキュリティエレメント（１）。
【請求項３３】
一つ又は複数の線形の微細構造エレメント、特に格子線は、５０μｍ〜５００ｍｍ、好ましくは５ｍｍ〜１００ｍｍの長さをそれぞれ有し、及び／又は、
前記一つ又は複数の線形の微細構造エレメント、特に格子線の長さは、格子周期の少なくとも５倍大きく、及び／又は、各々の線形の微細構造エレメント、特に各々の格子線の隣接する格子線からの間隔である、ことを特徴とする請求項１〜３２のいずれかに記載のセキュリティエレメント（１）。
【請求項３４】
前記一つ又は複数の第１の微細構造（１０）及び／又は一つ又は複数の第２の微細構造（２０）は、好ましい方向に沿って観察したときに、当該好ましい方向に対して横断方向及び／又は垂直方向に観察した場合と比べて、入射光についてより大きな散乱能及び／又はより大きな散乱角を有する一つ又は複数の異方性散乱構造として、特に異方性のマット構造（１０ｅ）として形成され、
好ましくは、前記一つ又は複数の異方性散乱構造、特に異方性のマット構造（１０ｅ）の前記第１又は第２の微細構造エレメント（１００，２００）間の平均距離は、０．５μｍ〜１０μｍ、特に好ましくは０．８μｍ〜５μｍである、ことを特徴とする請求項１〜３３のいずれかに記載のセキュリティエレメント（１）。
【請求項３５】
前記一つ又は複数の第１の微細構造（１０）及び／又は一つ又は複数の第２の微細構造（２０）の少なくとも３つ、好ましくは少なくとも５つの格子周期、及び／又は、前記一つ又は複数の第１の微細構造（１０）及び／又は前記一つ又は複数の第２の微細構造（２０）の少なくとも３つ、好ましくは少なくとも５つの平均距離は、一つ又は複数の軌道（２，２ａ〜２ｕ）にそれぞれ位置する、ことを特徴とする請求項１〜３４のいずれかに記載のセキュリティエレメント（１）。
【請求項３６】
第１又は第２の微細構造（１０，２０）の一つ又は複数の第１又は第２の微細構造エレメント（１００，２００）は、特にマイクロミラーを形成する少なくとも１つの第１又は第２のファセット面を有する、ことを特徴とする請求項１〜３５のいずれかに記載のセキュリティエレメント（１）。
【請求項３７】
一つ又は複数の第１のファセット面及び／又は一つ又は複数の第２のファセット面は、１０μｍ２〜５０００μｍ２、特に２５μｍ２〜９００μｍ２の最小表面積を有する、ことを特徴とする請求項１〜３６のいずれかに記載のセキュリティエレメント（１）。
【請求項３８】
一つ又は複数の第１のファセット面及び／又は一つ又は複数の第２のファセット面は、前記セキュリティエレメント（１）の表面法線に対して１°〜４５°、特に１°〜２０°の傾斜角を有する、ことを特徴とする請求項１〜３７のいずれかに記載のセキュリティエレメント（１）。
【請求項３９】
一つ又は複数の第１のファセット面及び／又は一つ又は複数の第２のファセット面は、平滑な表面あるいは凸状又は凹状に湾曲した表面を有する、ことを特徴とする請求項１〜３８のいずれかに記載のセキュリティエレメント（１）。
【請求項４０】
一つ又は複数の第１及び／又は第２のファセット面は、少なくとも１つの、特に無彩色の三次元表現のレリーフイメージを表し、
前記第１又は第２のファセット面の傾斜角は、好ましくは、１°〜４５°、特に１°〜２０°であり、及び／又は、好ましくは、前記一つ又は複数の第１又は第２のファセット面の周期及び／又は傾斜は、一つ又は複数の横方向寸法に沿って連続的にそれぞれ変化する、ことを特徴とする請求項１〜３９のいずれかに記載のセキュリティエレメント（１）。
【請求項４１】
一つ又は複数の第２の微細構造（２０）は、三次元に表れるレリーフイメージ、特に三次元で無彩色に表れるレリーフイメージを生じさせ、
各々の第２の微細構造（２０）は、好ましくは、複数の第２のファセット面を有し、当該第２のファセット面の進行及び／又は傾斜角の進行は、入射光の反射及び／又は回折により前記レリーフイメージが生じるように決定される、ことを特徴とする請求項１〜４０のいずれかに記載のセキュリティエレメント（１）。
【請求項４２】
一つ又は複数の第２の微細構造（２０）は、レンズ効果を生じさせ、かつフレネルレンズとして形成される、ことを特徴とする請求項１〜４１のいずれかに記載のセキュリティエレメント（１）。
【請求項４３】
前記第１の微細構造（１０）の一つ又は複数の第１の微細構造エレメント（１００）の一つ又は複数の構造パラメータは、前記一つ又は複数の軌道（２，２ａ〜２ｕ）に沿って連続して及び／又は一定に変化し、
前記一つ又は複数の構造パラメータは、好ましくは、前記第１の微細構造エレメント（１００）の間隔、レリーフ深さ、レリーフ形状、前記第１の微細構造エレメント（１００）の長手方向の向き、好ましい方向、前記第１の微細構造エレメント（１００）間の平均距離、第１のファセットの傾斜角から選択される、ことを特徴とする請求項１〜４２のいずれかに記載のセキュリティエレメント（１）。
【請求項４４】
前記第１の微細構造（１０）の一つ又は複数の第１の微細構造エレメント（１００）の向き、前記第１の微細構造（１０）の一つ又は複数の第１のファセットの好ましい方向及び／又は傾斜角は、少なくとも所定のセクションにおいて前記軌道（２，２ａ〜２ｕ）の輪郭を追従し、
前記輪郭は、特に前記軌道（２，２ａ〜２ｕ）の長手方向縁部の１つ又は前記軌道（２，２ａ〜２ｕ）の重心線により決まる、ことを特徴とする請求項１〜４３のいずれかに記載のセキュリティエレメント（１）。
【請求項４５】
前記一つ又は複数の軌道（２，２ａ〜２ｕ）の少なくとも部分的領域において、前記第１の微細構造（１０）の一つ又は複数の第１の微細構造エレメント（１００）の局所的な向き、前記第１の微細構造（１０）の一つ又は複数の第１のファセットの局所的な好ましい方向及び／又は局所的な傾斜角は、特に前記軌道（２，２ａ〜２ｕ）の長手方向縁部の１つ又は前記軌道（２，２ａ〜２ｕ）の重心線により決まる、前記軌道（２，２ａ〜２ｕ）の局所的な曲率に対応している、ことを特徴とする請求項１〜４４のいずれかに記載のセキュリティエレメント（１）。
【請求項４６】
前記一つ又は複数の軌道（２，２ａ〜２ｕ）の少なくとも部分的領域において、前記第１の微細構造（１０）の一つ又は複数の第１の微細構造エレメント（１００）の局所的な向き、前記第１の微細構造（１０）の一つ又は複数の第１のファセットの局所的な好ましい方向及び／又は局所的な傾斜角は、前記軌道（２，２ａ〜２ｕ）の局所的な曲率と０°〜３０°以下の範囲で異なっており、
前記局所的な曲率は、特に前記軌道（２，２ａ〜２ｕ）の長手方向縁部の１つ又は前記軌道（２，２ａ〜２ｕ）の重心線により決まる、ことを特徴とする請求項１〜４５のいずれかに記載のセキュリティエレメント（１）。
【請求項４７】
前記一つ又は複数の軌道（２，２ａ〜２ｕ）の少なくとも部分的領域において、前記第１の微細構造（１０）の一つ又は複数の第１の微細構造エレメント（１００）の局所的な向き、前記第１の微細構造（１０）の一つ又は複数の第１のファセットの局所的な好ましい方向及び／又は局所的な傾斜角は、所定の偏差角度＋／−３０°の範囲で前記軌道（２，２ａ〜２ｕ）の局所的な曲率と異なり、
前記局所的な曲率は、特に前記軌道（２，２ａ〜２ｕ）の長手方向縁部の１つ又は前記軌道（２，２ａ〜２ｕ）の重心線により決まる、ことを特徴とする請求項１〜４６のいずれかに記載のセキュリティエレメント（１）。
【請求項４８】
前記一つ又は複数の軌道（２，２ａ〜２ｕ）の少なくとも部分的領域において、前記第１の微細構造（１０）の一つ又は複数の第１の微細構造エレメント（１００）の局所的な向き、前記第１の微細構造（１０）の一つ又は複数の第１のファセットの局所的な好ましい方向及び／又は局所的な傾斜角は、前記軌道（２，２ａ〜２ｕ）の局所的な曲率に対して、−４５°〜＋４５°、好ましくは−３０°〜＋３０°、さらに好ましくは−１５°〜＋１５°の角度を有し、
前記局所的な曲率は、特に前記軌道（２，２ａ〜２ｕ）の長手方向縁部の１つ又は前記軌道（２，２ａ〜２ｕ）の重心線により決まる、ことを特徴とする請求項１〜４７のいずれかに記載のセキュリティエレメント（１）。
【請求項４９】
前記一つ又は複数の軌道（２，２ａ〜２ｕ）の少なくとも部分的領域において、前記第１の微細構造（１０）の一つ又は複数の第１の微細構造エレメント（１００）の長手方向の範囲及び／又は好ましい方向は、前記セキュリティエレメントの表面法線に垂直に広がる平面に対して、前記軌道（２，２ａ〜２ｕ）に平行及び／又は直交して延び、特に前記軌道（２，２ａ〜２ｕ）の重心線又は前記軌道（２，２ａ〜２ｕ）の長手方向縁部の１つに平行及び／又は直交して延びている、ことを特徴とする請求項１〜４８のいずれかに記載のセキュリティエレメント（１）。
【請求項５０】
前記部分的領域は、前記軌道（２，２ａ〜２ｕ）の長さ及び／又は表面積の少なくとも５０％、特に好ましくは前記軌道（２，２ａ〜２ｕ）の長さ及び／又は表面積の少なくとも７０％、特に好ましくは前記軌道（２，２ａ〜２ｕ）の長さ及び／又は表面積の少なくとも８５％である、ことを特徴とする請求項４５〜４９のいずれかに記載のセキュリティエレメント（１）。
【請求項５１】
前記一つ又は複数の軌道（２，２ａ〜２ｕ）及び／又は前記一つ又は複数の第１の微細構造（１０）は、一つ又は複数の交差領域（１１）において１回又は複数回交差する、ことを特徴とする請求項１〜５０のいずれかに記載のセキュリティエレメント（１）。
【請求項５２】
交差領域（１１）において交差する前記軌道（２，２ａ〜２ｕ）の前記一つ又は複数の第１の微細構造（１０）が排他的に一つ又は複数の交差領域（１１）に設けられることを特徴とする請求項１〜５１のいずれかに記載のセキュリティエレメント（１）。
【請求項５３】
一つ又は複数の交差領域（１１）において、交差する軌道（２，２ａ〜２ｕ）の前記一つ又は複数の第１の微細構造（１０）が一次元又は二次元の格子に設けられ、当該格子の幅は、特に１０μｍ〜３００μｍである、ことを特徴とする請求項５１又は５２に記載のセキュリティエレメント（１）。
【請求項５４】
一つ又は複数の交差領域（１１）の領域における前記一つ又は複数の軌道（２，２ａ〜２ｕ）の外側に、一つ又は複数の表面領域（１５）が設けられ、当該表面領域には、前記交差領域において交差する前記軌道（２，２ａ〜２ｕ）の１つの前記第１の微細構造（１０）が設けられ、
特に前記一つ又は複数の表面領域は、前記交差領域（１１）から１５０μｍ未満、好ましくは５０μｍ未満に配置される、ことを特徴とする請求項１〜５３のいずれかに記載のセキュリティエレメント（１）。
【請求項５５】
前記一つ又は複数の軌道（２，２ａ〜２ｕ）は、前記第１の微細構造（１０）が設けられていない一つ又は複数の中断部（１２）を有し、
前記中断部（１２）は、前記一つ又は複数の軌道（２，２ａ〜２ｕ）の表面積及び／又は長さの好ましくは０％〜３０％、さらに好ましくは１％〜１０％である、ことを特徴とする請求項１〜５４のいずれかに記載のセキュリティエレメント（１）。
【請求項５６】
前記一つ又は複数の中断部（１２）は、前記一つ又は複数の軌道（２，２ａ〜２ｕ）の一つ又は複数の交差領域（１１）に配置されている、ことを特徴とする請求項５５に記載のセキュリティエレメント（１）。
【請求項５７】
前記一つ又は複数の中断部（１２）は、前記一つ又は複数の軌道（２，２ａ〜２ｕ）の一つ又は複数の交差領域（１１）の外側に配置されている、ことを特徴とする請求項５６に記載のセキュリティエレメント（１）。
【請求項５８】
前記一つ又は複数の中断部（１２）は、好ましくは、ランダム及び／又は擬似ランダムに分配され、特に、前記軌道（２，２ａ〜２ｕ）の一つ又は複数の接線ベクトルに平行及び／又は垂直にランダム及び／又は擬似ランダムに分配される、ことを特徴とする請求項５６又は５７に記載のセキュリティエレメント（１）。
【請求項５９】
前記一つ又は複数の軌道（２，２ａ〜２ｕ）及び／又は前記一つ又は複数の第１の微細構造（１０）は、一つ又は複数のオフセット（１３）をそれぞれ有する、ことを特徴とする請求項１〜５８のいずれかに記載のセキュリティエレメント（１）。
【請求項６０】
前記一つ又は複数のオフセット（１３）の横方向寸法は、前記軌道（２，２ａ〜２ｕ）の幅より小さい、ことを特徴とする請求項５９に記載のセキュリティエレメント（１）。
【請求項６１】
前記一つ又は複数のオフセット（１３）は、ランダム及び／又は擬似ランダムにそれぞれ分配され、特に、前記軌道（２，２ａ〜２ｕ）の一つ又は複数の接線ベクトルに平行及び／又は垂直にランダム及び／又は擬似ランダムにそれぞれ分配される、ことを特徴とする請求項５９又は６０に記載のセキュリティエレメント（１）。
【請求項６２】
第２の微細構造（２０）は、前記軌道（２，２ａ〜２ｕ）に重ならない表面領域に設けられる、ことを特徴とする請求項１〜６１のいずれかに記載のセキュリティエレメント（１）。
【請求項６３】
第２の微細構造（２０）は、特に３００μｍより小さい幅を有する縞状にそれぞれ形成され、互いに離間した２つ以上の部分的領域からなる表面領域に設けられる、ことを特徴とする請求項１〜６２のいずれかに記載のセキュリティエレメント（１）。
【請求項６４】
第２の微細構造（２０）は、特に３００μｍより小さい幅を有する縞状にそれぞれ形成され、互いに離間した２つ以上の部分的領域からなる表面領域に設けられ、
一つ又は複数の部分的領域は、少なくとも所定の領域において、前記一つ又は複数の軌道（２，２ａ〜２ｕ）の割り当てられた中断領域と重なる、ことを特徴とする請求項１〜６３のいずれかに記載のセキュリティエレメント（１）。
【請求項６５】
請求項１に記載のセキュリティエレメント（１）を形成する方法であって、
一つ又は複数のイメージエレメント（３，３’〜３ＩＸ）のイメージ点（３ａ〜３ｕ）を含む少なくとも１つのファイルが設けられ、当該ファイルは、イメージ点（３ａ〜３ｕ）の位置的配置を含み、
少なくとも所定のセクションにおいて湾曲した一つ又は複数の軌道（２，２ａ〜２ｕ）又は少なくとも所定のセクションにおいて湾曲した一つ又は複数の軌道（２，２ａ〜２ｕ）の一つ又は複数のセクションは、前記イメージ点（３ａ〜３ｕ）の位置的配置から決定され、
前記一つ又は複数の軌道（２，２ａ〜２ｕ）又は軌道（２，２ａ〜２ｕ）のセクションにおいて、照射されたときに光学的に可変の情報の第１の項目、特に一つ又は複数の３Ｄ効果及び／又はムーブメント効果、好ましくは無彩色又は単色の３Ｄ効果及び／又はムーブメント効果を生じさせる一つ又は複数の第１の微細構造（１０）が設けられる、ことを特徴とする方法。
【請求項６６】
前記ファイルは、一連のイメージエレメント（３，３’〜３ＩＸ）を画定し、
前記セキュリティエレメント（１）が傾斜及び／又は折曲及び／又は回転すると、一連のイメージエレメント（３，３’〜３ＩＸ）が前記軌道（２，２ａ〜２ｕ）に沿った前記イメージ点（３ａ〜３ｕ）の移動によって生じるように、前記軌道（２，２ａ〜２ｕ）及び／又は軌道セクション（２，２ａ〜２ｕ）が決定される、ことを特徴とする請求項６５に記載の方法。
【発明の詳細な説明】
【技術分野】
【０００１】
本発明は、セキュリティエレメント及びセキュリティエレメントを形成する方法に関する。
【背景技術】
【０００２】
当技術分野において種々のデザインを有するセキュリティエレメントが公知である。セキュリティエレメントは、特に、セキュリティ上の効果を生じさせて、対象物の認証を行うように機能する。さらに、セキュリティエレメントは、特に対象物の操作、例えば偽造をより困難にする。セキュリティエレメントは、例えばＩＤ文書などのセキュリティ文書及び例えば紙幣などの有価証券において特に重要である。
【発明の概要】
【発明が解決しようとする課題】
【０００３】
本願発明の目的は、セキュリティエレメントを改善すること、及び、特に良好な視覚上の効果を有するセキュリティエレメントを形成する方法を改善することである。
【課題を解決するための手段】
【０００４】
上記目的は、請求項１に記載のセキュリティエレメント及び請求項６３に記載の方法により実現する。
【０００５】
そのようなセキュリティエレメント及び方法は、一つ又は複数の第１の微細構造を有するセキュリティエレメントであって、第１の微細構造は、少なくとも所定のセクションにおいて湾曲した一つ又は複数の軌道あるいは少なくとも所定のセクションにおいて湾曲した軌道の一つ又は複数のセクションにそれぞれ設けられ、及び／又は、少なくとも所定のセクションにおいて湾曲した一つ又は複数の軌道あるいは少なくとも所定のセクションにおいて湾曲した軌道の一つ又は複数のセクションに沿ってそれぞれ延在している。
【０００６】
そのようなセキュリティエレメントを形成する方法において、一つ又は複数のイメージエレメントのイメージ点を含む少なくとも１つのファイルが設けられ、当該ファイルは、イメージ点の位置的配置を含み、少なくとも所定のセクションにおいて湾曲した一つ又は複数の軌道又は少なくとも所定のセクションにおいて湾曲した一つ又は複数の軌道の一つ又は複数のセクションは、イメージ点の位置的配置から決定され、一つ又は複数の軌道又は軌道のセクションにおいて、照射されたときに光学的に可変の情報の第１の項目、特に一つ又は複数の３Ｄ効果（３Ｄ＝３次元）及び／又はムーブメント効果、好ましくは無彩色又は単色の３Ｄ効果及び／又はムーブメント効果を生じさせる、一つ又は複数の第１の微細構造が設けられる。
【０００７】
これにより、セキュリティエレメントの真正性を確認でき、セキュリティエレメントの偽造に対する保護がさらに改善される。
【０００８】
驚くべきことに、本発明により、一つ又は複数のイメージエレメントの一つ又は複数の視覚的に魅力的な激しいムーブメント、モーフィング及び／又は反転効果、並びに／あるいは、一つ又は複数のイメージエレメントの一つ又は複数の視覚的に魅力的な激しい３Ｄムーブメント、３Ｄモーフィング及び／又は３Ｄ反転効果が実現する。構造の選択に応じて、さらに好ましくは、無彩色又は単色の効果が生じる。モーフィング効果とは、一のモチーフから他のモチーフへの変化、変形又は移行を意味する。この変化、変形又は移行は、いくつかの中間段階を有する。反転効果とは、好ましくは、一のモチーフから他のモチーフへの切り替えを意味する。切り替えは、特に中間段階を経ずに行われる。
【０００９】
本発明の有利な設計が従属クレームに記載されている。
【００１０】
セキュリティエレメントは、人間の観察者が認識可能な情報の項目を生成する。この情報の項目は光学的に可変である。光学的に可変とは、情報項目の光学的な外観が観察角及び／又は照射角に依存することを意味する。セキュリティエレメント、特に光学的なセキュリティエレメントは、好ましくは、転写フィルムの転写プライ、ラミネートフィルム又はフィルムエレメントからなる。あるいは、セキュリティエレメントは、対象物の表面に直接適用される。セキュリティエレメント、特に光学セキュリティエレメントは、好ましくは、セキュリティ文書の表面に適用されるか、あるいは少なくとも部分的にセキュリティ文書に埋め込まれる。
【００１１】
光の照射下で、第１の微細構造は、好ましくは、人間の観察者又は機械により検知可能な一つ又は複数の光学的効果を生じさせる。人間の目で認識可能な波長は、電磁スペクトルの３８０ｎｍ（紫）〜７８０ｎｍ（暗赤色）の範囲であり、４３０ｎｍ未満及び６９０ｎｍを超える目の相対感度は、５５５ｎｍでの最大値の１％未満である。その結果、例えば、明るいＬＥＤ又はレーザなどの非常に強い光源だけが、３８０ｎｍ〜４３０ｎｍ及び６９０ｎｍ〜７８０ｎｍのスペクトル範囲で認識される。
【００１２】
第１の微細構造は、好ましくは光学的に可変の情報の第１の項目をもたらす。この光学的に可変の情報の第１の項目は、好ましくは、一つ又は複数の３Ｄ効果及び／又はムーブメント効果を含む。これらの効果は、好ましくは、無彩色又は単色である。無彩色の効果の場合、回折色効果が生じないか又はほとんど生じず、イメージエレメントは人間の観察者にとって白色又は灰色、マット又は光沢のある金属のように見える。単色の効果の場合、イメージエレメントは、実質的に単色を表示し、「通常の」回折構造の場合に生じるレインボー効果を生じさせない。
【００１３】
光学的に可変の情報の第１の項目は、好ましくは、一つ又は複数のイメージエレメントを有する。これらのイメージエレメントは、好ましくは、いくつかのイメージ点からなる。イメージ点は、好ましくは、異なる軌道に設けられるか又は異なる軌道に沿って延在する第１の微細構造によりもたらされる。
【００１４】
したがって、所定の観察及び／又は照射方向にイメージ点をもたらすため、イメージエレメントのイメージ点は、一つ又は複数の軌道又は一つ又は複数の軌道での配置に基づいて入射光を散乱、反射又は回折する一つ又は複数の第１の微細構造によりもたらされる。
【００１５】
一つ又は複数のイメージエレメントの各イメージ点は、好ましくは、割り当てられた第１の微細構造の１つによりもたらされ、割り当てられた第１の微細構造の各々は、一つ又は複数の軌道の割り当てられた軌道にそれぞれ設けられるか、あるいは割り当てられた軌道に沿って延在する。一つ又は複数の軌道のうち異なる１つの軌道は、好ましくは、イメージエレメントの各イメージ点に割り当てられる。さらに好ましくは、少なくとも１つの光源、好ましくは点光源で照射したときに、セキュリティエレメントが傾斜及び／又は折曲及び／又は回転すると、イメージ点が割り当てられた軌道に沿って移動するように、各軌道に割り当てられた微細構造が設計される。単一の点光源で照射したときに、軌道ごとに１つのイメージ点だけが表れることが好ましい。
【００１６】
好ましくは、一つ又は複数のイメージエレメントのイメージ点が好ましくは互いに対して一定の距離で移動するように、一つ又は複数の第１の微細構造が提供される。イメージ点は、互いに対して移動するか、あるいは互いに結合される。イメージエレメントが変化しないことが好ましい。
【００１７】
また、好ましくは互いに対するイメージ点の距離が変わるように一つ又は複数の第１の微細構造が設けられてもよい。特に、イメージ点の配置により狭い観察角範囲だけにおいてイメージエレメントが表されてもよい。他方、セキュリティエレメントがこの狭い観察角範囲外から観察された場合、ランダムに表れる配置でイメージ点が見えることが好ましく、特にイメージエレメントを表さないが、好ましくは点群として表される。
【００１８】
「折曲」とは、好ましくは、力の作用による特定の方法でのセキュリティエレメントの変形を意味する。したがって、セキュリティエレメントの「折曲」とは、特に、セキュリティエレメントに対する力の作用を意味し、力の作用により、セキュリティエレメントの形状が変化するか又は変化する可能性がある。したがって、折曲した（折れ曲がった）セキュリティエレメントは、折曲していないセキュリティエレメントと比較して、形状、特に曲率が変化している。
【００１９】
セキュリティエレメントの傾斜及び／又は折曲及び／又は回転の間における各々の軌道に沿った一定の角速度でのイメージ点の移動速度は、同一であるか又は互いに異なっていてもよく、かつ／あるいは、イメージ点は、互いに異なる移動速度曲線を有していてもよい。各々の軌道上におけるイメージ点の移動速度及び／又は移動速度曲線の対応する選択により、興味深い光学的に可変の効果が光学的に可変の情報の第１の項目として生じる。イメージ点の空間的配置及び空間的進行は、軌道及び／又は軌道のセクションに設けられる微細構造の対応する選択を通じて決定され得る。したがって、特に、少なくとも１つの軌道を有するセキュリティエレメントの一つ又は複数の任意の軸に対する一つ又は複数の回転及び／又は折曲及び／又は傾斜により、好ましくは、一つ又は複数のイメージエレメントの一つ又は複数のムーブメント効果、特に少なくとも１つの軌道に沿った光学的なムーブメント効果が観察者により認識され得る。特に、セキュリティエレメントの平面に対して垂直な一つ又は複数の軸を中心とした一つ又は複数の回転の場合、及び／又は、一つ又は複数の軸に対する一つ又は複数の傾斜の場合、及び／又は、セキュリティエレメントの平面及びしたがって第１の微細構造及び／又は軌道の平面における一つ又は複数の軸に対する一つ又は複数の折曲の場合、ムーブメント効果などが観察者により認識され得る。さらに、一つ又は複数のムーブメント効果は、照射及び／又は観察角に応じて、好ましくは、無彩色及び／又は単色のムーブメント効果及び／又はムーブメント効果となり得る。
【００２０】
さらに、特にセキュリティエレメントが傾斜及び／又は折曲及び／又は回転するとき、ムーブメント効果、モーフィング効果及び／又は反転効果を生じさせる一連のイメージエレメントが第１の微細構造によりもたらされる。さらに好ましくは、セキュリティエレメントが傾斜及び／又は折曲及び／又は回転するとき、３Ｄムーブメント効果、３Ｄモーフィング効果及び／又は３Ｄ反転効果生じさせる一連のイメージエレメントが第１の微細構造によりもたらされる。前述のように、セキュリティエレメントが傾斜及び／又は折曲及び／又は回転するとき、一連のイメージエレメントは、軌道に沿ったイメージ点の移動により生じることが好ましい。
【００２１】
第１の微細構造により生成されるイメージ点は、異なる形状を有し得る。これらのイメージ点は、好ましくは、円盤状又は楕円形状を有する。
【００２２】
本明細書において、個々のイメージ点の寸法は、好ましくは、イメージ点が人間の裸眼で知覚されるように選択される。イメージ点の横方向寸法は、好ましくは、２００μｍ〜５００μｍ、さらに好ましくは２００μｍ〜３００μｍである。しかし、さらに、イメージ点の横方向寸法が人間の目の解像度以下であってもよく、これにより、イメージエレメントの特定の高解像度を達成することができる。イメージ点の横方向寸法は、好ましくは、２０μｍ〜２００μｍ、さらに好ましくは７５μｍ〜２００μｍである。人間の裸眼により知覚されるイメージ点の大きさは、イメージ点の実際の大きさと異なっていることがある。例えば、明るく発光するイメージ点はより大きく認識され得る。これにより、特に、実際のサイズが人間の裸眼の解像度以下であるイメージ点が認識される。イメージ点の少なくとも１つの横方向寸法は、好ましくは、各々のイメージ点を生成する第１の微細構造が配置される各々の軌道の幅により決まる。イメージ点の他の横方向寸法は、好ましくは、割り当てられた第１の微細構造の構造上のパラメータの選択に基づき決まる。
【００２３】
２つ以上のイメージ点は、人間の裸眼で解像されないように互いに離間していてもよい。本実施例では、イメージ点の間隔は、好ましくは、５μｍ〜３００μｍ、さらに好ましくは、１０μｍ〜２００μｍとなるように選択される。
【００２４】
本明細書において、イメージ点の間隔とは、好ましくは、互いに対するイメージ点の外縁の間隔を意味する。この間隔は、好ましくは、各々のイメージ点を生成する割り当てられた軌道の対応する間隔により決まる。
【００２５】
さらに、個々のイメージ点が人間の目で解像できるように、イメージ点が互いに離間していてもよい。本実施例では、イメージ点の間隔は、好ましくは３００μｍ以上、さらに好ましくは５００μｍ以上である。
【００２６】
有利には、一つ又は複数のイメージエレメントは、例えば、モチーフ、図形的に形成された輪郭、造形的な表現、イメージ（画像）、視覚的に認識可能なイメージ、シンボル、ロゴ、ポートレート、パターン、英数字、テキスト等とし得る。
【００２７】
また、イメージエレメントの個々のイメージ点は、特に好ましくは、セキュリティエレメントが傾斜及び／又は折曲及び／又は回転する際に、軌道に対する異なる移動方向及び／又は各々の軌道上における速度を採用してもよい。特に、イメージエレメントのムーブメント効果は、所望のように、軸を中心とした回転に依存していてもよい。
【００２８】
特に、変換、特にモーフィング、好ましくは反転は、ムーブメント、変換及び／又はモーフィング効果として観察者が認識可能な少なくとも１つの一連のイメージエレメントを生じさせる。
【００２９】
一つ又は複数の軌道及び／又は第１の微細構造は、好ましくは、変換、特にモーフィング、好ましくは反転が１つのイメージエレメントから一つ又は複数のさらなるイメージエレメントに向かう一連のものとして生じるように互いに配置されてもよい。
【００３０】
特に、任意の所望の軸に対するセキュリティエレメントの回転及び／又は折曲及び／又は傾斜は、観察者がムーブメント、変換及び／又はモーフィング効果として認識し得る一連のイメージエレメントを生じさせる。同様に、これは３Ｄムーブメント、３Ｄ変換及び／又は３Ｄモーフィング効果にも適用される。
【００３１】
変換、特にモーフィング、好ましくは反転は、好ましくは、観察者が認識可能な少なくとも１つの無彩色又は単色のムーブメント、変換及び／又はモーフィング効果並びに／あるいは軌道及び／又は第１の微細構造に沿った少なくとも１つの照射及び／又は観察角に応じたムーブメント、変換及び／又はモーフィング効果を生じさせる。
【００３２】
セキュリティエレメントが、例えば、数字の４及び数字の２の機能を有する場合、セキュリティエレメントが傾斜及び／又は折曲及び／又は回転すると、数字の４が数字の２に変わり、かつ／又は数字の２が数字の４に変わる。
【００３３】
さらに、セキュリティエレメントが１つの軌道だけを有していてもよい。軌道が光源により照射され、セキュリティエレメントが任意の所望の軸に対して回転及び／又は折曲及び／又は傾斜すると、軌道に沿った照射及び／又は観察角に応じて少なくとも１つのムーブメント効果、特に少なくとも１つのムーブメント効果を生じさせる好ましくはイメージ点が観察者に認識可能となる。
【００３４】
セキュリティエレメントは、好ましくは、複数の第１の微細構造を含む複数の軌道を有する。これにより、前述したように、特に、一つ又は複数のイメージエレメントを生じさせる、軌道の数に対応する数のイメージ点が観察者に認識可能となる。
【００３５】
さらに、複数の光源により照射されるようにセキュリティエレメントを設計してもよい。複数の光源に対応する、観察者が認識可能な一つ又は複数のイメージエレメントを共に生じさせる複数の光源は、通常、軌道ごと及び／又は第１の微細構造ごとに設けられる。
【００３６】
さらに、興味深い光学的効果が生成される。最も単純な場合、異なる点光源により同時に照射されたときに前述の光学的効果が複数回生じてもよい。さらに、また、異なる点光源を用いて異なる角度で照射されたときに、異なる光学的に可変の効果がセキュリティエレメントにより生成されてもよく、これにより、偽造が困難となるさらなるセキュリティ機能部、特にいわゆる「第２ライン」セキュリティ機能部がセキュリティエレメントにより提供されてもよい。「第２ライン」セキュリティ機能部とは、好ましくは、補助具を用いることによってのみ認識及び／又は検出可能なセキュリティ機能部を意味する。必要な補助具は、例えば、ルーペ又はＵＶランプ（ＵＶ＝紫外線）などの通常の広く用いられる技術的な器具である。
【００３７】
軌道とは、少なくとも所定のセクションにおいて湾曲した曲線、好ましくは楕円形、円形、らせん状及び／又は円弧曲線状に延び、所定の幅、好ましくは一定の幅を有する特に平坦な領域を意味する。曲線は、特に開いていても閉じていてもよいし、特に閉じた曲線の部分的領域であってもよい。さらに有利な設計では、軌道及び／又は軌道の一つ又は複数の輪郭は、一方の側において湾曲した曲線であってもよい。その結果、好ましくは、曲率の符号はどこでも同じであり、特に少なくとも１つの曲線の曲率はその符号を変えない。
【００３８】
曲率とは、特に曲線の直線からの局所的なずれを意味する。曲線の曲率とは、特に、長さごとの方向の１つの変化及び／又は十分に短い曲線片又は曲線の進行に亘る延伸を意味する。直線の曲率はどの箇所においてもゼロに等しくなる。半径ｒを有する円は、どの箇所においても同一の曲率、具体的には１／ｒを有する。ほとんどの曲線の場合、曲率は曲線上の点から曲線上の点へと変化し、特に、曲率は曲線上の点から曲線上の点へと連続的に変化する。その結果、特に曲線は、ねじれや不連続な点を含まない。したがって、点Ｐにおける曲線の曲率は、点Ｐの周囲の曲線がどれだけ直線から逸脱しているかを示す。曲率の量は曲率半径と呼ばれ、局所的な半径ベクトル量の逆数に対応する。曲率半径は、曲線の接線点Ｐ及び／又は接触点の局所周囲における最良の近似を表す円の半径である。
【００３９】
２つ以上の軌道、特に円軌道又は円形軌道及び／又は楕円軌道の曲率進行は同一であってもよい。特に好ましくは、一つ又は複数の第１の微細構造をそれぞれ含む２つ以上の軌道、さらに好ましくは円軌道又は円形軌道及び／又は楕円軌道は異なる曲率進行であってもよい。特に独特の３Ｄ効果、さらに好ましくは、強い無彩色ムーブメント効果と組み合わされた３Ｄ効果が生じ得る。一つ又は複数の第１の微細構造をそれぞれ含む２つ以上の軌道、好ましくは、円軌道又は円形軌道及び／又は楕円軌道は、特に互いに離間していてもよい。
【００４０】
有利には、一つ又は複数の軌道の幅は、３μｍ〜３００μｍ、好ましくは１０μｍ〜１００μｍである。
【００４１】
また、さらに、一つ又は複数の軌道の幅は、各軌道の進行方向に応じてそれぞれ変化してもよい。前記幅は、好ましくは、少なくとも所定のセクションにおいて各軌道の進行方向に沿って連続及び／又は不連続に変化する。各軌道の幅は、好ましくは、各軌道の長手方向縁部の間の距離によって定まる。
【００４２】
さらに、複数の軌道の全軌道の少なくとも５０％、好ましくは７０％、特に好ましくは９０％は、閉軌道の少なくとも５分の１、好ましくは少なくとも４分の１、特に好ましくは３分の１、特に好ましくは半分をそれぞれ形成してもよい。
【００４３】
本発明の特に有利な実施例において、複数の軌道の全軌道の少なくとも５０％、好ましくは７０％、特に好ましくは９０％は、少なくとも４分の１円、好ましくは少なくとも３分の１円、特に好ましくは半円をそれぞれ形成してもよい。
【００４４】
有利には、一つ又は複数の軌道の曲率は、各々の場合、０．０２ｍｍ−１〜２ｍｍ−１、好ましくは０．１ｍｍ−１〜１ｍｍ−１であり、又は、半径は、０．５ｍｍ〜５０ｍｍ、特に１ｍｍ〜１０ｍｍである。
【００４５】
さらに好ましくは、一つ又は複数の軌道は、同じ、特に、全ての箇所、各々の軌道上の全ての箇所、さらに好ましくは各々の軌道上の全ての点において特に同一の曲率を有する。
【００４６】
好ましくは、２つ以上の軌道、特に全ての軌道、さらに好ましくは全ての円形及び／又は楕円軌道の曲率進行はそれぞれ同一である。さらに、一つ又は複数の軌道、特に全ての軌道、さらに好ましくは全ての円形及び／又は楕円軌道が互いに異なる曲率進行をそれぞれ有していてもよい。
【００４７】
上記の全ての実施例では、一つ又は複数の軌道、特に全ての軌道の曲率が各々の軌道の全進行に亘って符号が変わらないことが特に好ましい。
【００４８】
さらにまた、一つ又は複数の軌道の半径及び／又は曲率及び／又は曲率半径が、各々の軌道の進行方向に応じてそれぞれ変化してもよい。この変化は、少なくとも所定のセクションにおいて各々の軌道の進行方向に沿って連続又は不連続であることが好ましい。さらに、一つ又は複数の軌道の幅は、各々の軌道の１つの半径又は複数の半径及び／又は各々の軌道の曲率半径よりも小さい。
【００４９】
割り当てられた第１の微細構造は、好ましくは、各々の軌道又は各々の軌道のセクションに設けられる。各々の軌道又は各々のセクションの表面領域全体が割り当てられた第１の微細構造により覆われることが好ましい。さらに、割り当てられた第１の微細構造は、各々の軌道又は軌道の各セクションの表面領域の外側に設けられないことが好ましい。
【００５０】
割り当てられた第１の微細構造は、割り当てられた軌道又は軌道の割り当てられたセクションに沿って延在することが好ましい。これは、割り当てられた第１の微細構造の少なくとも１つの構造パラメータは、軌道のパラメータ、特に軌道の接線方向の配置及び／又は幅に応じて変化し、特に第１の微細構造の構造エレメントの長手方向の範囲が割り当てられた軌道の接線方向の配置に対して一定の角度を有することを意味している。
【００５１】
したがって、第１の微細構造及び／又は第１の微細構造の構造エレメントの長手方向の範囲、好ましい方向及び／又は少なくとも１つの配置は、好ましくは、割り当てられた軌道又は割り当てられた軌道の輪郭を追従する。微細構造の配置、長手方向の範囲及び／又は好ましい方向は、好ましくは、軌道上の全ての位置において軌道及び／又は軌道の輪郭の進行方向と平行に方向付けられており、かつ／又は所定のオフセット角を囲う。
【００５２】
基本的な第１の微細構造の一つ又は複数の構造パラメータの局所的な配置は、好ましくは、各々の軌道の局所的な接線方向の配置と整列する。特に好ましくは、一つ又は複数の第１の微細構造の一つ又は複数の構造パラメータの局所的な接線方向の配置は、局所的な曲率半径ベクトルに対して各々の軌道と同じ角度を有してもよい。「局所的」とは、局所的な配置及び局所的な曲率半径ベクトルが観察される各軌道における同じ位置、特に同じ点を意味する。
【００５３】
第１の微細構造として使用される異なる微細構造の選択に関する具体的な手順については、この微細構造の対応する箇所において後述する。
【００５４】
さらに好ましくは、セキュリティエレメントは、光学情報の第２の項目を提供する一つ又は複数の第２の微細構造を有する。特に、光学情報の第２の項目は光学的に可変である。
【００５５】
一つ又は複数の第２の微細構造は、好ましくは、軌道に重ならない表面領域にそれぞれ設けられる。
【００５６】
一つ又は複数の第２の微細構造が設けられる表面領域は、好ましくは、パターン、特に英数字、模様、グラフィックモチーフとして又はポートレートとして形成される。
【００５７】
さらに、第２の微細構造は、特に３００μｍより小さい幅で縞状に形成される、互いに離間した２つ以上の部分的領域からなる表面領域に設けられ得る。一つ又は複数の部分的領域は、少なくとも所定の領域において、一つ又は複数の軌道の割り当てられた中断領域と重なってもよい。
【００５８】
さらに、特に、一つ又は複数の第２の微細構造の一つ又は複数の第２の微細構造エレメントは、一つ又は複数のレリーフ構造として、特に一つ又は複数の表面レリーフとして、好ましくは一つ又は複数の楕円形又は円形レンズとして、さらに好ましくは一つ又は複数のレンズ効果を有する一つ又は複数の自由形状面として、特に好ましくは一つ又は複数の自由に及び／又は円形に形成されたフレネルレンズとして形成されてもよい。
【００５９】
一つ又は複数の第２の微細構造は、好ましくは、三次元に表れるレリーフイメージ、特に三次元で無彩色に表れるレリーフイメージをもたらす。このため、各々の第２の微細構造は、好ましくは、複数の第２のファセット面を有し、その進行及び／又は傾斜角の進行は、レリーフイメージが入射光の回折及び／又は反射により生じるように決定される。
【００６０】
さらに、一つ又は複数の微細構造又は全ての微細構造又は第１の微細構造又は第１及び第２の微細構造は、好ましくは、体積ホログラムとして形成されるか、あるいは、ＨＲＩ反射層（ＨＲＩ＝高屈折率）又は金属層又は色ずれ効果を生じさせる層又は色ずれ効果を生じさせる多層系と組み合わされる。
【００６１】
使用する微細構造について、特に以下のことが明らかになる。
【００６２】
一つ又は複数の第１及び／又は第２の微細構造は、ホログラフィック露光により体積ホログラムに変換されるか、又は、レリーフ構造として成形され得る。
【００６３】
さらに好ましくは、一つ又は複数の第１及び／又は第２の微細構造は、微細構造エレメントの間隔、レリーフの深さ、レリーフの形状、微細構造エレメントの長手方向の向きなどのパラメータにより特徴付けられる複数の第１又は第２の微細構造エレメントからなる。
【００６４】
さらに、特に、一つ又は複数の第１及び／又は第２の微細構造は、格子として、特に正弦波又は長方形又は三角格子として形成され得る。
【００６５】
有利には、正弦波格子は、特に２つの等しく強い回折イメージを、好ましくは、−１次及び＋１次回折次数で生成する。しかし、特により高い回折次数が生じてもよい。
【００６６】
特に好ましくは、一つ又は複数の第１及び／又は第２の微細構造は、一つ又は複数の鋸歯状の微細構造として、特にブレーズド回折格子として形成され得る。有利には、ブレーズド回折格子は、入射光を主に第１の回折次数、好ましくは＋１次又は−１次回折次数に回折する。理想的な場合では、単一の光源、特に点光源で照射したとき、したがって、理想的な場合では、単一の光源、特に点光源で照明した場合、高強度、好ましくは他の回折次数よりも高い強度の回折イメージだけが見える。本明細書において、より高い強度とは、強度が、１つの回折次数、例えば−１次回折次数において、他の回折次数、例えば＋１次回折次数よりも、特に少なくとも２倍、好ましくは３倍大きいことを意味する。
【００６７】
有利には、特にブレーズド回折格子の好ましくは一つ又は複数の第１の微細構造は、各々の場合、少なくとも１つのより微細な構造、例えばサブ波長格子で覆われ得る。微細構造の無彩色回折は、好ましくは単色になる。上記効果を実現するため、特に高周波のサブ波長交差格子を重ねてもよい。
【００６８】
周期、特に格子周期あるいは一つ又は複数の第１及び／又は第２の微細構造エレメントの微細構造エレメントの間隔は、有利には、０．２μｍ〜５０μｍ、好ましくは０．３μｍ〜２０μｍ、特に好ましくは２μｍ〜１０μｍである。
【００６９】
一つ又は複数の第１又は第２の微細構造の深さ、特にレリーフの深さは、通常、５０ｎｍ〜１５μｍ、有利には各々の場合５０ｎｍ〜５０００ｎｍ、好ましくは１００ｎｍ〜３０００ｎｍである。
【００７０】
有利には、第１又は第２の微細構造は、直接反射した光、すなわちゼロ回折次数の光の周囲においてより狭い角度範囲、特に＋１０°と−１０°との間の角度範囲で、入射光を回折及び／又は散乱させる。
【００７１】
一つ又は複数の第１又は第２の微細構造エレメントのレリーフ形状は、好ましくは、各々の場合、正弦波、三角、鋸歯状及び／又は台形である。
【００７２】
さらに、一つ又は複数の第１又は第２の微細構造エレメントは、各々の場合、線形状を有し、三角形の断面を有する格子線の形態で形成され得る。
【００７３】
特に、一つ又は複数の線形の微細構造エレメント、特に格子線は、各々の場合、５０μｍ〜１００ｍｍ、好ましくは０．５ｍｍ〜５０ｍｍ、特に２ｍｍ〜２０ｍｍの長さを有し、及び／又は、一つ又は複数の線形の微細構造エレメント、特に格子線の長さは、各々の隣接する格子線からの各々の線形の微細構造エレメント、特に各々の格子線の間隔及び／又は格子周期よりも少なくとも５倍、好ましくは１０倍大きい。
【００７４】
好ましくは、一つ又は複数の第１又は第２の微細構造は、各々の場合、好ましい方向に沿って観察したときに、好ましい方向を横断しかつ／又は直交する方向に観察したときと比べて、入射光についてより大きな散乱角及び／又はより大きな散乱能力を有する、一つ又は複数の異方性散乱構造として、特に異方性のマット構造として形成され得る。一つ又は複数の異方性散乱構造の一つ又は複数の第１の微細構造エレメントの平均距離は、０．５μｍ〜１０μｍ、特に好ましくは０．８μｍ〜５μｍである。
【００７５】
前記構造の平均距離は、構造、特にマット構造の隣接する局所的最大値及び／又は局所的最小値間の距離の平均値として定義される。
【００７６】
特に好ましくは、一つ又は複数の第１の微細構造の少なくとも３つ、好ましくは少なくとも５つの格子周期及び／又は一つ又は複数の第１の微細構造の少なくとも３つ、好ましくは少なくとも５つの平均距離が一つ又は複数の軌道にそれぞれ設けられ得る。
【００７７】
さらに、第１又は第２の微細構造の一つ又は複数の第１及び／又は第２の微細構造エレメントは、各々の場合において、好ましくは、一つ又は複数の主に屈折的に作用する微細構造、例えばマイクロミラーを形成する少なくとも１つの第１又は第２のファセット面を有する。第１又は第２のファセット面は、１０μｍ２〜５０００μｍ２、特に２５μｍ２〜９００μｍ２の最小表面積を有する。さらに、第１又は第２のファセット面は、好ましくは、セキュリティエレメントの表面法線に対して１°〜４５°、特に１°〜２０°の傾斜角を有する。好ましくは、第１又は第２のファセット面は、平滑な表面あるいは凸状又は凹状に湾曲した表面を有する。
【００７８】
第１又は第２のファセット面を含む一つ又は複数の第２の微細構造エレメントは、好ましくは、レリーフイメージの少なくとも１つの、好ましくは無彩色の三次元表現を表す。好ましくは、第１又は第２のファセット面の傾斜角は、好ましくは、各々の場合、１°〜４５°、特に１°〜２０°である。好ましくは、一つ又は複数の第１又は第２のファセット面の周期及び／又は傾斜は、一つ又は複数の横方向寸法に沿って連続的に変化する。
【００７９】
好ましくは、第１の微細構造の一つ又は複数の微細構造エレメントの一つ又は複数の構造パラメータは、一つ又は複数の軌道に沿って連続して及び／又は一定に変化してもよい。一つ又は複数の構造パラメータは、各々の場合、好ましくは、第１の微細構造エレメントの間隔、レリーフ深さ、第１の微細構造エレメントの長手方向の向き、好ましい方向、第１の微細構造エレメント間の平均距離、第１のファセットの傾斜角から選択される。
【００８０】
さらに、第１の微細構造の一つ又は複数の第１の微細構造エレメントの向き及び／又は第１の微細構造の一つ又は複数の第１のファセットの好ましい方向及び／又は傾斜角は、特に各軌道の長手方向縁部の１つにより又は各軌道の重心線により決定される、各軌道の一つ又は複数の輪郭を追従することが好ましい。
【００８１】
特に、少なくとも一つ又は複数の軌道の部分的領域において、各々の第１の微細構造の一つ又は複数の第１の微細構造エレメントの局所的な向き、あるいは、各々の第１の微細構造の一つ又は複数の第１のファセットの局所的な好ましい方向は、一つ又は複数の軌道の一つ又は複数の長手方向縁部により、及び／又は各々の一つ又は複数の軌道の一つ又は複数の重心線により決定される、各々の軌道の局所的な曲率に対応し得る。
【００８２】
好ましくは、少なくとも一つ又は複数の軌道の部分的領域において、各々の第１の微細構造の一つ又は複数の第１の微細構造エレメントの局所的な向き、あるいは、各々の第１の微細構造の一つ又は複数の第１のファセットの局所的な好ましい方向は、各々の軌道の局所的な曲率と０°〜３０°以下だけ異なっていてもよい。局所的な曲率は、特に、各軌道の一つ又は複数の長手方向縁部によって又は各軌道の一つ又は複数の重心線によって決定され得る。
【００８３】
好ましくは、少なくとも一つ又は複数の軌道の部分的領域において、各々の第１の微細構造の一つ又は複数の第１の微細構造エレメントの局所的な向き、あるいは、各々の第１の微細構造の一つ又は複数の第１のファセットの局所的な好ましい方向は、各々の軌道の局所的な曲率と最大±３０°までの所定の偏差角度だけ異なっていてもよい。局所的な曲率は、特に、各軌道の一つ又は複数の長手方向縁部によって又は各軌道の一つ又は複数の重心線によって決定され得る。
【００８４】
好ましくは、少なくとも一つ又は複数の軌道の部分的領域において、各々の第１の微細構造の一つ又は複数の第１の微細構造エレメントの局所的な向き、あるいは、各々の第１の微細構造の一つ又は複数の第１のファセットの局所的な好ましい方向は、各々の軌道の局所的な曲率に対して−４５°〜＋４５°、好ましくは−３０°〜＋３０°の角度、さらに好ましくは−１５°〜＋１５°の角度を有してもよい。局所的な曲率は、特に、各軌道の一つ又は複数の長手方向縁部により又は各軌道の一つ又は複数の重心線により決まる。
【００８５】
好ましくは、少なくとも一つ又は複数の軌道の部分的領域において、各々の第１の微細構造の一つ又は複数の第１の微細構造エレメントの長手方向の範囲及び／又は好ましい方向は、セキュリティエレメントの表面法線に垂直に広がる平面に対して、各軌道に平行又は垂直に延在し、特に、各軌道一つ又は複数の重心線あるいは各軌道の一つ又は複数の長手方向縁部に平行又は垂直に延在してもよい。
【００８６】
好ましくは、前述した一つ又は複数の軌道の部分的領域は、各軌道の少なくとも５０％、特に好ましくは各軌道の少なくとも７０％、特に好ましくは各軌道の少なくとも８５％からなる。これにより、特に、そのようなセキュリティエレメントが少なくとも１つの放射源、特に光源、好ましくは点光源により照射されたときに、各軌道における１つの位置及び／又は１つの点だけが散乱かつ／又は回折し、かつ／又は光を反射させる。その結果、これにより生じたイメージエレメント、特に少なくとも１つのイメージ点が、特に任意の所望の軸に対して左方及び／又は右方及び／又は前方及び／又は後方への軌道を含むセキュリティエレメントの少なくとも１つの傾斜及び／又は折曲及び／又は回転時に少なくとも１つのムーブメント効果を生じさせる。
【００８７】
さらに、一つ又は複数の軌道及び／又は一つ又は複数の第１の微細構造は、一つ又は複数の交差領域において交差し得る。一つ又は複数の軌道は、各々の場合１回又は２回又はそれ以上交差し、かつ／又は、一つ又は複数の軌道は、異なる周波数で対をなして交差し得る。したがって、３つの軌道Ｂ１，Ｂ２，Ｂ３から選択された軌道対であるＢ１とＢ２，Ｂ２とＢ３，Ｂ１とＢ３は、互いに異なる周波数で交差し得る。
【００８８】
例えば、軌道Ｂ１，Ｂ２が２回交差し、軌道Ｂ１，Ｂ３が４回交差し、軌道Ｂ２，Ｂ３が１回だけ交差するように、３つの閉軌道及び／又は開軌道Ｂ１，Ｂ２，Ｂ３が交差し得る。
【００８９】
また、１つの軌道は当該軌道と交差してもよい。好ましくは、複数の軌道は当該軌道自体と交差しない。
【００９０】
一つ又は複数の交差領域には、各交差領域で交差する軌道の第１の微細構造又は第１の微細構造だけが設けられる。他の交差する軌道の第１の微細構造又は第１の微細構造はこの交差領域に設けられていない。
【００９１】
しかし、交差領域において交差する、２つ以上、特に全ての軌道の第１の微細構造が一つ又は複数の交差領域に設けられてもよい。交差する軌道の第１の微細構造又は第１の微細構造が一次元又は二次元の格子に設けられることが好ましい。格子の幅は、特に１０μｍ〜３００μｍである。
【００９２】
異なる第１の微細構造の格子を以下モザイク面と呼ぶ。
【００９３】
そのようなモザイク面により、特に軌道がモザイク面を有していないセキュリティエレメントに関して、各軌道のムーブメント効果、特に光学的なムーブメント効果の中断を防止するか、少なくとも光学的により目立たないものとすることができる。
【００９４】
モザイク面において、交差領域を通って延在する全ての軌道及び／又は第１の微細構造は、有利には、交差領域の表面積の同じ割合が割り当てられ得る。その結果、交差領域において、全ての軌道には、同じ割合、特に表面の割合が与えられる。
【００９５】
例えば、２つの軌道及び／又は２つの第１の微細構造が交差する場合、交差領域における２つの軌道及び／又は２つの第１の微細構造の各々は、表面積、特に交差領域の表面積の５０％の表面積の割合が割り当てられることが好ましい。したがって、３つ、通常ｎ個の交差する軌道及び／又は第１の微細構造の各々は、交差領域の３分の１、通常１／ｎの表面の割合が割り当てられ得る。
【００９６】
さらに、各交差領域において交差する軌道の１つの第１の微細構造が設けられた一つ又は複数の表面領域が一つ又は複数の交差領域の領域において一つ又は複数の軌道の外側に設けられてもよい。一つ又は複数の表面領域は、各交差領域から好ましくは１５０μｍ未満、さらに好ましくは５０μｍ未満だけ離間して配置される。この距離は、交差領域及び／又は交差領域において交差する軌道の最も近い外縁と各表面領域の最も近い外縁との間の距離により決定される。
【００９７】
そのようなデザインにより、光学的外観に悪影響を与えることなく、交差領域において交差する軌道の第１の微細構造のための既存の領域を効果的に拡大させることができる。これにより、各交差領域において交差する軌道によりもたらされる一連のムーブメント、モーフィング及び／又は反転効果における中断が防止されるか、少なくとも光学的により目立たないものとされ得る。
【００９８】
さらに好ましくは、少なくとも１つの軌道及び／又は少なくとも１つの第１の微細構造は、少なくとも１つの中断部を有する。
【００９９】
第１の微細構造又は各軌道の第１の微細構造は、好ましくは、中断部の領域において設けられないか又は連続していない。
【０１００】
中断部により、セキュリティエレメントのさらなる光学的効果を含む第１の微細構造により生じる効果の重なりが向上し、したがって、セキュリティエレメントの偽造に対する保護がさらに向上する。
【０１０１】
軌道の中断部は、好ましくは、人間の目の解像度以下の各軌道の長手方向における広がりに関する寸法を有し、好ましくは、この方向における０．５μｍ〜２００μｍ、さらに好ましくは１μｍ〜１００μｍの横方向の広がりを有する。
【０１０２】
少なくとも１つの軌道及び／又は少なくとも１つの第１の微細構造の少なくとも１つの中断部は、好ましくは、２つ以上の軌道の少なくとも１つの交差領域及び／又は２つ以上の第１の微細構造に存在し得る。
【０１０３】
さらに、少なくとも１つの軌道及び／又は少なくとも１つの第１の微細構造の少なくとも１つの中断部は、２つ以上の軌道及び／又は２つ以上の第１の微細構造の交差領域の外側に存在することが好ましい。
【０１０４】
好ましくは、中断部は、ランダム及び／又は擬似ランダムに分配される。特に、一つ又は複数の中断部は、各々の軌道の一つ又は複数の接線ベクトルに平行及び／又は直交してランダム及び／又は擬似ランダムに分配され得る。
【０１０５】
さらに、少なくとも１つの軌道及び／又は少なくとも１つの第１の微細構造が少なくとも１つのオフセットを有していてもよい。２つの部分及び／又は部分的領域及び／又は少なくとも１つの軌道のセクション及び／又は１つの第１の微細構造が互いにオフセットして、特に互いにシフトして配置されたときに、オフセットが存在する。変位、特にシフトの大きさは、必要に応じた大きさとすることができる。
【０１０６】
特に、オフセットの一つ又は複数の横方向寸法は、各々の場合、各軌道の幅より小さくてもよい。
【０１０７】
少なくとも１つの軌道及び／又は１つの第１の微細構造は、少なくとも１つのオフセットを有することが好ましい。少なくとも１つのオフセットは、少なくとも１つの軌道及び／又は１つの第１の微細構造のアーク長、好ましくはアーク長の一部に亘って、ランダム及び／又は擬似ランダムに分配され得る。さらに好ましくは、オフセット、特に変位及び／又はシフトの大きさは、ランダム及び／又は擬似ランダムに分配され得る。特に、一つ又は複数のオフセットは、各軌道の一つ又は複数の接線ベクトルに平行及び／又は直交してランダム及び／又は擬似ランダムに分配され得る。
【０１０８】
そのようなオフセットは、少なくとも１つの軌道及び／又は第１の微細構造に亘る、少なくとも１つのカット、特に少なくとも１つの直線状のカット、及び軌道及び／又は第１の微細構造に対するように切断された少なくとも１つの軌道及び／又は第１の微細構造のシフトにより設けられる。
【０１０９】
さらに好ましくは、少なくとも１つのカットの角度、特に少なくとも１つのカット角は、所望のように、特に配置及び／又は少なくとも１つの切断された軌道及び／又は第１の微細構造の長手方向の範囲に対して所望のように配置され得る。その結果、少なくとも１つのカットにより接断された少なくとも１つの軌道及び／又は第１の微細構造及び少なくとも１つの軌道及び／又は第１の微細構造は互いに面一に結合しない。
【０１１０】
さらに、特に少なくとも１つの軌道及び／又は第１の微細構造の長手方向の範囲及び／又は配置に直交する少なくとも１つの切断された軌道及び／又は１つの第１の微細構造のカットの隣接する部分は、互いに対してシフトして配置され得る。
【０１１１】
好ましくは、オフセットは望ましくない色回折を低減させる。その結果、特に、改善された無彩色の外観、したがって改善された一連のイメージエレメントが提供される。
【０１１２】
特に好ましくは、軌道及び／又は第１の微細構造の部分的領域及び／又はセクションは、特に軌道及び／又は第１の微細構造の部分的領域及び／又はセクションのオフセットを生じさせるため、２つの同じように配置されたカットにより、特に互いに対して所望のように配置された２つのカットにより、さらに好ましくは軌道及び／又は第１の微細構造の異なる箇所、特に位置における互いに平行に配置された２つのカット及び切断されていない軌道及び／又は第１の微細構造に対するように切断された軌道及び／又は第１の微細構造の部分的領域の変位及び／又はシフトによりオフセットし得る。
【０１１３】
さらに好ましくは、少なくともオフセット、特にシフト及び／又は変位の大きさは、第１の微細構造及び／又は軌道の幅より小さい。さらに、オフセット、特にシフト及び／又は変位の大きさは、軌道の幅に対応し得る。さらに好ましくは、オフセット、特にシフト及び／又は変位の大きさは、第１の微細構造及び／又は軌道の幅の５倍以下である。特に、好ましくは一つ又は複数のイメージエレメント又は第１の微細構造のムーブメント、モーフィング及び／又は反転効果の作用の急増を防止することができる。特に好ましくは、オフセット、特にシフト及び／又は変位の大きさは、平均して、一つ又は複数の軌道及び／又は第１の微細構造の幅の１％〜５０％、好ましくは２％〜２０％である。
【０１１４】
軌道及び／又は第１の微細構造を形成する好ましい方法の第１のステップにおいて、一つ又は複数のイメージエレメントのイメージ点の一つ又は複数の位置的配置を含むファイルが提供される。好ましくは、さらなるステップにおいて、少なくとも所定のセクションにおいて湾曲した一つ又は複数の軌道及び／又は少なくとも所定のセクションにおいて湾曲した一つ又は複数の軌道の一つ又は複数のセクションは、イメージ点の位置的配置により決定される。さらに、特に、次のステップにおいて、照射されたときに、光学的に可変の情報の第１の項目、特に一つ又は複数の３Ｄ効果及び／又はムーブメント効果、特にセキュリティエレメントが傾斜及び／又は折曲及び／又は回転すると、好ましくは無彩色又は単色の３Ｄ効果及び／又はムーブメント効果を生じさせる一つ又は複数の軌道又は軌道のセクションに一つ又は複数の第１の微細構造が設けられる。微細構造を含む軌道は、例えば、電子ビームリソグラフィー又はレーザーリソグラフィーにより主基板に形成され得る。主基板の構造は、金属基板、特にガルバニックプロセスによりニッケルから形成される金属基板にも用いられる。このように金属基板を複製することにより、好ましくは、例えばロールツーロール複製法による微細構造の大量生産を可能にする対応する複製型が得られる。
【０１１５】
好ましくは、軌道及び／又は軌道のセクションを決定するため、ファイルにおいて、セキュリティエレメントが傾斜及び／又は折曲及び／又は回転する際の軌道に沿ったイメージ点の移動により所望とする一連のイメージエレメントが生じるように、一連のイメージエレメントが画定される。
【０１１６】
好ましくは、ファイルにおいて、一連のイメージエレメントが画定される。その結果、認識不可能なイメージ、例えばランダム又は擬似ランダムに配置された点及び／又は雲状に分配された点から、認識可能なイメージ、例えば額面金額が、セキュリティエレメントが傾斜及び／又は折曲及び／又は回転する際の軌道に沿ったイメージ点の移動によってもたらされる。
【０１１７】
第１及び／又は第２の微細構造は、複製法により、同一のセキュリティエレメントの同一の又は２つの異なる層に成形されることが好ましい。これらの層は、好ましくは、１μｍ〜１０μｍの層厚を有するワニス層である。さらに、これらの層はセキュリティエレメントのキャリアフィルム、特にＰＥＴフィルムであってもよい。
【０１１８】
キャリアフィルムの視認される面から複製層の上方にある一つ又は複数のさらなる層は、色彩層、特に不透明、半透明又は透明の色彩層とし得る。これらの色彩層は、好ましくは、パターン化されて適用されるか又は形成される。代替例では、複製層は半透明又は透明の色彩層であってもよい。
【０１１９】
他の一つ又は複数のさらなる層は、セキュリティエレメントのキャリアフィルム上に配置され、特に、一つ又は複数のさらなる層は、剥離層、保護層、接合層、抗接着層、保護層、接着層から選択される。
【０１２０】
第１及び／又は第２の微細構造が成形されたセキュリティエレメントの一つ又は複数の層は、さらに好ましくは、少なくとも所定の領域において、一つ又は複数の第１及び／又は第２の微細構造を覆う一つ又は複数の反射層でコーティングされる。上記の反射層は、好ましくは金属製の反射層であり、例えば、アルミニウム（Ａｌ）、銅（Ｃｕ）または銀（Ａｇ）、及び／又は高屈折率層、いわゆるＨＲＩ層、例えばＴｉＯ２又はＺｎＳから形成される。
【０１２１】
さらに、第１及び／又は第２の微細構造が成形されたセキュリティエレメントの一つ又は複数の層は、一つ又は複数の色彩層、特に半透明又は透明の色彩層によりコーティングされるか又はプリントされ得る。これらの色彩層は、好ましくは、パターンを有するように適用されるか、形成される。上記層は、好ましくは、異なる色を有する。さらに、第１及び／又は第２の微細構造が成形された一つ又は複数の層は、観察角に応じて変化する一つ又は複数のインク及び／又は層、例えば、コレステリック液晶層及び／又は色変化顔料を含む層でコーティングされるか又はプリントされ得る。特に、色の変化を生じさせる層は、干渉層系からなる。例えば、この干渉層系は、半透明の吸収層、誘電体スペーサ層及び半透明又は不透明なミラー層からなる三層系とし得る。
【０１２２】
前述のコーティングは、任意の所望の形態で互いに組み合わされてもよく、したがって、例えば、複数のコーティングは、一つ又は複数の第１及び／又は第２のレリーフ構造を含む層の一方又は両方の側に適用されていてもよく、特にパターン化されて形成されてもよい。これにより、注意を引く光学的効果、特に色彩効果が実現され、セキュリティエレメントの偽造に対する保護をさらに向上させる。
【０１２３】
以下、添付の図面を参照しながら本発明のいくつかの実施例について説明する。
【図面の簡単な説明】
【０１２４】
【図１ａ】複数の軌道を有するセキュリティエレメントの概略図である。
【図１ｂ】複数の軌道を有するセキュリティエレメントの概略図である。
【図１ｃ】複数の軌道を有するセキュリティエレメントの概略図である。
【図１ｄ】複数の軌道を有するセキュリティエレメントの概略図である。
【図１ｅ】複数の軌道を有するセキュリティエレメントの概略図である。
【図２ａ】セキュリティエレメントの概略図である。
【図２ｂ】レリーフ及び格子構造の概略図である。
【図２ｃ】レリーフ及び格子構造の概略図である。
【図２ｄ】レリーフ及び格子構造の概略図である。
【図３】複数の軌道を有するセキュリティエレメントの概略図である。
【図４】交差領域を有するセキュリティエレメントの概略図である。
【図５】交差領域及び中断部を有するセキュリティエレメントの概略図である。
【図６】交差領域及びオフセットを有するセキュリティエレメントの概略図である。
【図７】交差領域を有するセキュリティエレメントの概略図である。
【図８】交差領域を有するセキュリティエレメントの概略図である。
【図９ａ】セキュリティエレメントの光学的作用の概略図である。
【図９ｂ】セキュリティエレメントの光学的作用の概略図である。
【図１０ａ】セキュリティエレメントの光学的作用の概略図である。
【図１０ｂ】２つの光源から照射したときのセキュリティエレメントの光学的作用を示す概略図である。
【図１１ａ】セキュリティエレメントの光学的作用を示す概略図である。
【図１１ｂ】セキュリティエレメントの光学的作用を示す概略図である。
【図１１ｃ】セキュリティエレメントの光学的作用を示す概略図である。
【図１２ａ】イメージ点間の距離に応じたセキュリティエレメントの光学的作用を示す概略図である。
【図１２ｂ】イメージ点間の距離に応じたセキュリティエレメントの光学的作用を示す概略図である。
【図１３ａ】第１及び第２の微細構造を有するセキュリティエレメントの概略図である。
【図１３ｂ】第１及び第２の微細構造を有するセキュリティエレメントの概略図である。
【図１４ａ】複数の軌道を有するセキュリティエレメントの概略図である。
【図１４ｂ】複数の軌道を有するセキュリティエレメントの概略図である。
【図１４ｃ】複数の軌道を有するセキュリティエレメントの概略図である。
【図１４ｄ】複数の軌道を有するセキュリティエレメントの概略図である。
【図１４ｅ】複数の軌道を有するセキュリティエレメントの概略図である。
【図１５】セキュリティエレメントの光学的作用を示す概略図である。
【図１６ａ】複数の軌道を有するセキュリティエレメントの概略図である。
【図１６ｂ】複数の軌道を有するセキュリティエレメントの概略図である。
【図１６ｃ】複数の軌道を有するセキュリティエレメントの概略図である。
【図１６ｄ】複数の軌道を有するセキュリティエレメントの概略図である。
【図１７ａ】複数の軌道を有するセキュリティエレメントの概略図である。
【図１７ｂ】複数の軌道を有するセキュリティエレメントの概略図である。
【図１７ｃ】複数の軌道を有するセキュリティエレメントの概略図である。
【図１７ｄ】複数の軌道を有するセキュリティエレメントの概略図である。
【図１７ｅ】複数の軌道を有するセキュリティエレメントの概略図である。
【発明を実施するための形態】
【０１２５】
図１ａ〜図１ｅは、セキュリティエレメント１を有するセキュリティ文書５の構造を例示している。
【０１２６】
図１ａ〜図１ｄはセキュリティエレメント１の上面図であり、図１ｅは文書本体又はセキュリティ文書５の断面図である。
【０１２７】
セキュリティ文書５は、好ましくは、ＩＤ文書、例えばパスポート、パスポートカード、ビザ又はアクセスカードからなる。しかし、セキュリティ文書５は、さらなるセキュリティ文書５、例えば紙幣、セキュリティ又はクレジットカード又は銀行のカードであってもよい。
【０１２８】
セキュリティ文書５は、文書本体５１及び一つ又は複数のセキュリティエレメントを有する。セキュリティエレメント１を図１ａ〜図１ｅに示す。
【０１２９】
セキュリティエレメントは、セキュリティ文書５の文書本体５１に適用されるか、あるいは、セキュリティ文書５の文書本体５１に埋め込まれるものであって、特に完全に又は部分的に埋め込まれる。
【０１３０】
セキュリティ文書の文書本体５１は、好ましくは、複数のプライから形成され、特に、紙基材及び／又はプラスチック基材により形成されるキャリア基材を有する。さらに、文書本体５１は、他の一つ又は複数の保護層、一つ又は複数の装飾層及び／又は一つ又は複数のセキュリティ機能部を有していてもよい。さらに、文書本体５１は、例えば、一つ又は複数の剥離層、接合層、抗接着層、保護層及び／又は接着層などの他のさらなる層を有していてもよい。文書本体５１は、好ましくは、電子回路、特にＲＦＩＤチップを有し、これに情報の項目が格納される。
【０１３１】
文書本体５１は、ウィンドウ領域を有する。ウィンドウ領域は、文書本体５１における貫通口として、及び／又は文書本体５１の透明領域として形成され得る。セキュリティエレメント１は、ウィンドウ領域と重なるように配置され、セキュリティ文書５の両側から見ることができる。
【０１３２】
セキュリティエレメント１は、特に、転写フィルムの転写プライ、ラミネートフィルム及び／又はフィルムエレメントによって、特に、セキュリティストリップパッチ又はセキュリティストリップ又はセキュリティスレッド（ｓｅｃｕｒｉｔｙ  ｔｈｒｅａｄ）の形態で形成される、セキュリティエレメント１は、セキュリティ文書５の表面を全面に亘って及び／又は部分的に覆っており、例えば、図１ｅに示すセキュリティエレメント１に対してストリップ又はパッチの形態で形成される。
【０１３３】
セキュリティエレメント１は、好ましくは、保護層５４、装飾層５２及び接着層又は接着促進層５３を有する。したがって、例えば、セキュリティエレメント１は、転写フィルムの転写プライの形態で形成され、保護層５４、装飾層５２及び接着層５３を有し、図１ｅに示すように文書本体５１の前面側に適用される。
【０１３４】
セキュリティエレメント１の装飾層５２は、好ましくは人間の観察者により光学的に可視の一つ又は複数のセキュリティ機能部を形成する。
【０１３５】
したがって、例えば、装飾層５２は、一つ又は複数の以下の層を有する。
【０１３６】
装飾層５２は、各々の場合、一つ又は複数の第１及び／又は第２の微細構造を含む一つ又は複数の層を有する。
【０１３７】
本実施例では、一つ又は複数の第１又は第２の微細構造は、ホログラフィック露光により各々の層において体積ホログラムに変換され得る。しかし、微細構造は、各層の表面に成形されるレリーフ構造として形成されてもよい。これらの層は、好ましくは、体積ホログラムの生成のために異なる屈折率を有する領域が付与されるフォトポリマーの層であるか、あるいは、複製法により微細構造の表面レリーフが成形されるプラスチックフィルム又はワニス層である。
【０１３８】
好ましくは、微細構造は、例えば、長方形の回折格子、正弦波回折格子又はゼロ次回折構造などの回折構造である。微細構造は、等方性及び／又は異方性のマット構造、三角形のブレーズド回折格子及び／又はマイクロレンズ、マイクロプリズム又はマイクロミラーなど実質的な反射作用を伴う構造であってもよい。
【０１３９】
一つ又は複数の第１の微細構造は、好ましくは、少なくとも複数のセクションにおいて湾曲している一つ又は複数の軌道に設けられる。複数の軌道２ａ〜２ｅを図１ａ〜図１ｄに示す。さらに、少なくとも複数のセクションにおいて曲線軌道の一つ又は複数のセクション、例えば図１ａ〜図１ｄに示す軌道のセクションに一つ又は複数の第１の微細構造を設けてもよい。さらに、一つ又は複数の第１の微細構造が少なくとも複数のセクションにおいて湾曲した一つ又は複数の軌道に沿って設けられてもよいし、又は少なくとも複数のセクションにおいて曲線軌道の一つ又は複数のセクションに沿って設けられてもよい。
【０１４０】
装飾層５２は、好ましくは、一つ又は複数の金属層を有し、金属層は、好ましくは、表面全体に亘って又は部分的にセキュリティエレメントに設けられる。金属層は、不透明、半透明又は透過性に形成される。好ましくは、金属層は、明確に異なる反射及び／又は透過スペクトルを有する異なる金属から形成される。例えば、金属層は、アルミニウム、銅、クロム、金、銀又はこれら金属の合金から形成される。
【０１４１】
本実施例では、一つ又は複数の金属層は、好ましくは、パターン化された構造であり、好ましくは、英数字の形態で、及び／又はグラフィックとして及び／又は複雑な対象物の描写として形成されてもよい。
【０１４２】
さらに、装飾層５２は、一つ又は複数の色彩層、好ましくは、透明又は半透明の色彩層を含んでいてもよい。これらの色彩層は、印刷法により適用され、顔料はバインダーマトリックスに組み込まれた一つ又は複数の染料及び／又は顔料を有する色彩層であることが好ましい。
【０１４３】
装飾層５２は、さらに好ましくは、入射光を波長選択的に反射又は屈折させる一つ又は複数の干渉層を有する。これらの層は、例えば、入射光の半波長又は四分の一波長の領域において光学的深さを有する層の配置に基づいて、画角に応じて色ずれ効果を生じさせる薄膜フィルムエレメントから形成され得る。これらの層は、典型的には、特に半透明吸収体層と、半透明又は不透明のミラー又は反射層との間に配置された誘電体スペーサ層を含むか、あるいは、好ましくは、薄膜顔料を含む層から形成され得る。
【０１４４】
装飾層５２は、さらに好ましくは、入射光の偏光並びに液晶の配列に応じて入射光の透過及び／又は波長選択的な反射を生成する一つ又は複数の液晶層を有していてもよい。
【０１４５】
図１ａは、互いにオフセットした、曲線軌道２ａ，２ｂ，２ｃ，２ｄ，２ｅを有するセキュリティエレメント１の細部を示している。軌道は、半径Ｒａ，Ｒｂ，Ｒｃ，Ｒｄ，Ｒｅを有している。軌道の中心点４ａ，４ｂ，４ｃ，４ｄ，４ｅは、軌道２ａ，２ｂ，２ｃ，２ｄ，２ｅの幾何学的中心に配置されており、半径Ｒａ，Ｒｂ，Ｒｃ，Ｒｄ，Ｒｅを有する円形軌道２ａ，２ｂ，２ｃ，２ｄ，２ｅの全ての点から離間している。軌道２ａ，２ｂ，２ｃ，２ｄ，２ｅの曲率は、それぞれ、１／Ｒａ，１／Ｒｂ，１／Ｒｃ，１／Ｒｄ，１／Ｒｅである。軌道が存在するか又は空間範囲を有する平面は、基底ベクトルｘ及びｙで示す二次元座標系によって表される。ベクトルｘ及びｙは、好ましくは、図１ａに示すように、互いに直交している。
【０１４６】
しかし、特に、２次元以上の座標系及び／又は少なくとも１つの曲線軌道における座標系を選択してもよい。
【０１４７】
図１ａ〜図１ｄは、全ての軌道が同一の半径を有する例を示している。さらに好ましくは、軌道２ａ〜２ｅの半径は互いに異なっていてもよい。さらに、好ましくは、軌道が円形に形成されておらず、例えば楕円形及び／又は螺旋形及び／又は円弧状に形成されている場合、少なくとも１つの軌道２ａ〜２ｅは、可変の曲率を有していてもよい。さらに好ましくは、軌道２ａ〜２ｅは、連続的な及び／又は微分可能な及び／又は積分可能な曲線であってもよい。軌道２ａ〜２ｅは、厳密に一次元の曲線ではなく、好ましくは、例えば球の表面の部分的領域などの二次元の曲線であってもよい。
【０１４８】
軌道２ａ〜２ｅは、特に好ましくは、閉軌道として及び／又は閉軌道の少なくとも１つの部分的領域から形成され得る。特に、全ての軌道の少なくとも５０％、好ましくは７０％、特に好ましくは９０％は、特に、各々の場合、閉軌道の少なくとも５分の１、好ましくは少なくとも４分の１、特に好ましくは少なくとも３分の１、特に好ましくは少なくとも半分を形成する。さらに、全ての軌道の特に少なくとも５０％、好ましくは７０％、特に好ましくは９０％は、特に各々の場合、少なくとも４分の１円、好ましくは少なくとも３分の１円、特に好ましくは半円を形成する。
【０１４９】
図１ａ〜図１ｄにおける軌道２ａ，２ｂ，２ｃ，２ｄ，２ｅは、図示した実施例では、二次元の円形の曲線として設計されており、点線で表されている。曲線軌道の曲率の符号は変化せず、特に円軌道又は円形軌道の場合は一定である。さらに好ましくは、軌道の曲率は、０．０２ｍｍ−１〜２ｍｍ−１、好ましくは０．０１ｍｍ−１〜１ｍｍ−１である。特に好ましくは、少なくとも１つの軌道、特に少なくとも１つの円形軌道は、どの位置においても同一の曲率を有していてもよい。特に好ましくは、図１ａ〜図１ｄに示すように、全ての軌道２ａ〜２ｅ、特に全ての円軌道又は円形軌道の曲率は等しくてもよい。特に好ましくは、軌道２ａ〜２ｅの曲率は互いに異なっていてもよい。
【０１５０】
軌道２ａ〜２ｅに設けられた第１の微細構造は、光学的に可変の情報の第１の項目を生じさせる。この光学的に可変の情報の第１の項目は、図１ａ〜図１ｄに示す実施例ではムーブメント効果である。光学的に可変の情報の第１の項目は、一つ又は複数のイメージエレメントを有し、イメージエレメントは、複数のイメージ点を含む。
【０１５１】
図１ａ〜図１ｄに示す実施例では、軌道２ａ〜２ｅに設けられた第１の微細構造は、特にイメージ点３ａ，３ｂ，３ｃ，３ｄ，３ｅの配列により形成されるイメージエレメント３を生成する。好ましくは、セキュリティエレメント１は、観察者に一つ又は複数のイメージエレメント３をもたらし、少なくとも１つのイメージエレメント３は、例えば、モチーフとして形成される。
【０１５２】
イメージ点３ａ，３ｂ，３ｃ，３ｄ，３ｅは、各々の場合、軌道２ａ，２ｂ，２ｃ，２ｄ，２ｅの第１の微細構造により生じる。セキュリティエレメント１が傾斜及び／又は折曲及び／又は回転するときに、少なくとも１つの光源、好ましくは点光源で照射されると、イメージ点３ａ，３ｂ，３ｃ，３ｄ，３ｅは、割り当てられた軌道に沿ってそれぞれ移動する。
【０１５３】
図１ａ〜１ｄに示すように、イメージエレメント３のイメージ点３ａ〜３ｅは、点状、特に円形のディスク形状を有する。しかし、イメージ点は、他の形状、例えば楕円形を有していてもよい。
【０１５４】
軌道２ａ，２ｂ，２ｃ，２ｄ，２ｅが光源により照射されている場合、観察者は図１ａのイメージエレメント３を認識又は確認することができる。観察者が軌道ごとに１つのイメージ点だけを見ることができるように、軌道が設計されている。そのように認識され得るイメージ点３ａ，３ｂ，３ｃ，３ｄ，３ｅは、軌道上の配置及び互いに対する一定の距離を介してイメージエレメント３を形成する。
【０１５５】
特に、軌道を有するセキュリティエレメント１が傾斜及び／又は折曲及び／又は回転、及び／又は観察者及び／又は放射源に対して傾斜すると、イメージエレメント３は、観察者が見たときに軌道２ａ，２ｂ，２ｃ，２ｄ，２ｅに沿って移動する。特に好ましくは、イメージエレメント３は、傾斜及び／又は折曲及び／又は回転及び／又は観察者に対するセキュリティエレメント１の傾斜の方向に応じて、軌道ごと二つの移動方向のうち一方の方向へと、特に軌道に沿って自由に移動する。
【０１５６】
さらに好ましくは、イメージエレメント３は、図１ａに示す５つのイメージ点３ａ〜３ｅの配置として、５つの軌道２ａ，２ｂ，２ｃ，２ｄ，２ｅに沿って移動する。その結果、図１ａにおける互いに対するイメージ点３ａ，３ｂ，３ｃ，３ｄ，３ｅの配列が維持され、かつ／又は、セキュリティエレメント１が傾斜及び／又は折曲及び／又は回転したときに、図１ａ〜１ｄに示したベクトルｘ及びｙに亘る座標系に対する配向性が変化しない。
【０１５７】
本明細書において、セキュリティエレメント１の回転とは、ベクトルｘ及びｙに亘る平面に対して直角をなすセキュリティエレメント１の表面法線を中心としたセキュリティエレメント１の回転を意味する。セキュリティエレメント１の傾斜とは、ベクトルｘ及びｙに亘る平面における軸に対するセキュリティエレメント１の傾斜を意味する。
【０１５８】
有利には、イメージエレメント３は、特に、セキュリティエレメント１の回転及び／又は折曲及び／又は傾斜の間、図１ａ〜図１ｄに示す座標系のベクトルｘ及び／又はｙに沿った軸及び／又はベクトルｘ及び／又はｙと平行をなす軸に対するイメージエレメント３の配置を変化させる、好ましくは連続的に変化させることができる。これにより、連続的または不連続的なムーブメント効果が観察者にもたらされる。さらに好ましくは、イメージエレメント３は、図１ａ〜図１ｄに示す座標系のベクトルｘ及び／又はｙに沿った軸及び／又はベクトルｘ及び／又はｙと平行をなす軸に対するイメージエレメント３の配置を、セキュリティエレメント１の回転及び／又は折曲及び／又は傾斜の間、一定に維持することができる。
【０１５９】
図１ａ〜図１ｄにおいて、ベクトルｘ及びｙにより特徴づけられる座標系に対するイメージエレメント３の配置は、移動中に亘って、特に各々の位置３０，３１，３２，３３において一定である。
【０１６０】
図１ａ〜図１ｄは、５つのイメージ点３ａ，３ｂ，３ｃ，３ｄ，３ｅを含むイメージエレメント３のムーブメント効果を任意の順序に示している。図１ａに示すイメージ点３ｃの位置におけるイメージエレメント３の中心点３０は、図１ｂに示す位置３１に移動し、図１ｃに示す位置３２に移動し、最終的に図１ｄに示す位置３３に移動する。イメージエレメント３の移動方向は、異なるムーブメント効果を生じさせるように所望のように選択されることが好ましい。
【０１６１】
図２ａは、幅Ｂ及び半径Ｒを有する曲線軌道２のセグメント２０を含むセキュリティエレメント１の細部を示している。曲線軌道は、特に、図１ａ〜１ｅに示す軌道２ａ〜２ｅの１つとし得る。
【０１６２】
さらに、図２ａは、イメージ点３ａを示している。イメージ点３ａは、好ましくは、軌道上に位置しており、好ましくは軌道に沿って移動する。その結果、ムーブメント効果、特に連続的なムーブメント効果が観察者にもたらされる。さらに、図２ａに示すカットＡ→Ａ’は、特に、閉軌道、好ましくは円形及び／又は楕円軌道の中心点に対して半径方向に延びている。カットは、軌道を通って半径方向に延びている。さらに、図２ａは、軌道２が位置するか又は埋め込まれた平面に亘った互いに直交する２つのベクトルｘ及びｙによる二次元座標系を示している。
【０１６３】
好ましくは、軌道２は、２μｍ〜３００μｍ、特に５μｍ〜１５０μｍ、さらに好ましくは１０μｍ〜１００μｍの幅Ｂを有する。
【０１６４】
軌道の表面積は、軌道のアーク長及び軌道の幅に依存している。軌道の幅は、一定であるか、又は軌道に沿って変動する。好ましくは、軌道の幅は、軌道の進行、特に、基底ベクトルｘ及びｙを含む座標系に対する方位角αの進行によって変化しない。
【０１６５】
内側輪郭２０ａは、軌道２の内縁及び／又は好ましくは内径Ｒｉを有する軌道の部分的領域の内縁に対応している。軌道２及び／又は軌道の部分的領域の外側輪郭２０ｂは、好ましくは外径Ｒａを有する軌道の外縁に対応している。内側輪郭は、曲率半径ベクトルにより決まる、円の中心点Ｍの方向に面する軌道の側に配置される。一方、軌道の外側輪郭２０ｂは、曲率半径ベクトルから離れた軌道の側２０ａに配置される。さらに、半径ベクトルＲの延長線上には、軌道の外縁に適合する接線ベクトルｔに垂直な垂線Ｓが図示されている。本実施例では、接線ベクトルＴの方向は、半径ベクトルＲに直交するように配置される。
【０１６６】
好ましくは、曲率半径ベクトル、特に局所的な曲率半径ベクトルは、軌道２に亘る表面積内の位置及び／又は任意の所望の点に関連する。曲率半径ベクトルの量及び角度は、軌道２に亘る表面積上の位置及び／又は方位角αに依存する。
【０１６７】
また、曲率半径ベクトルは、少なくとも１つの軌道２の内側輪郭又は縁部２０ａあるいは外側輪郭又は縁部２０ｂに関連する。曲率半径ベクトルの量及び角度は、軌道２の内側輪郭及び／又は外側輪郭及び／又は方位角αに依存する。
【０１６８】
軌道２及び／又は軌道の部分的領域の特定の方位角αにおける内側輪郭の曲率は、好ましくは、この方位角αにおける外側輪郭の曲率よりも常に大きい。外側輪郭の特定の方位角αにおける特定の位置及び／又は特定の点と、内側輪郭の特定の方位角αにおける同一の位置及び／又は同一の点との間の距離は、好ましくは、特定の方位角αにおける位置及び／又は点に応じた軌道２の幅、特に軌道２の幅に対応している。
【０１６９】
さらに好ましい実施例では、軌道２及び／又は軌道の部分的領域の表面積は、少なくとも１つの第１の微細構造１０により覆われる。特に、第１の微細構造１０は、また、軌道２及び／又は軌道の部分的領域の内側輪郭及び／又は外側輪郭を追従してもよい。
【０１７０】
図２ｂ，２ｃ，２ｄは、例えば、図２ａの軌道２及び／又は図２ａの軌道の部分的領域上に設けられた少なくとも１つの第１の微細構造１０の一実施例をそれぞれ示している。
【０１７１】
特に、図２ｂ，２ｃ，２ｄは、図２ａのカット線Ａ→Ａ’に沿った第１の微細構造のカットを示している。
【０１７２】
図２ｂは、第１の微細構造１０のデザインとして正弦波の形状を有する格子１０ａを示している。格子１０ａは、好ましくは周期的に互いから離間した複数の連続した構造エレメントを有する。個々の構造エレメントは、好ましくは、長手方向の範囲が横方向の範囲よりもはるかに大きい。したがって、構造エレメントは、好ましくは、線形の形状を有し、特に、正弦波断面を有する格子線として形成される。これらの格子線の進行は、格子１０ａの微細構造エレメントの長手方向の方向を画定する。また、代替例では、格子線は、正弦曲線に代えて、長方形の断面を有し、したがって長方形状を有してもよい。
【０１７３】
図２ｃは、ブレーズド格子１０ｄとしての第１の微細構造１０のデザインを示している。第１の微細構造は、特に、鋸歯状格子及び／又は三角格子として形成されている。
【０１７４】
同様に、ブレーズド格子１０ｄは、好ましくは、それぞれ三角形の断面を有する一連の微細構造エレメントからなる。本実施例では、ベクトルｘ及びｙに亘る平面に対する微細構造エレメントの２つの側の傾斜は、異なることが好ましい。その結果、微細構造エレメントは非対称の形状を有する。本実施例では、さらに、微細構造エレメントは、横方向の範囲よりも大きい、特にはるかに大きい長手方向の範囲を有する。その結果、微細構造エレメントは、同様に、三角形の断面を有する線形の微細構造エレメントとなる。微細構造エレメントの長手方向の範囲の進行は、微細構造エレメントの長手方向を画定する。
【０１７５】
好ましくは、特に図２ｂ及び図２ｃに示す第１の微細構造１０は、０．２μｍ〜５０μｍ、好ましくは０．３μｍ〜２０μｍ、さらに好ましくは２μｍ〜２０μｍ、特に好ましくは３μｍ〜１０μｍの周期又は格子周期Λを有し、かつ／又は、５０ｎｍ〜１５，０００ｎｍ、有利には５０ｎｍ〜５０００ｎｍ、好ましくは１００ｎｍ〜３０００ｎｍの格子深さを有する。
【０１７６】
図２ｄは、異方性マット散乱構造及び／又は異方性マット構造１０ｅとして形成された第１の微細構造１０を示している。そのようなマット構造は、非対称散乱挙動を示し、したがって光学的に可変な効果を生成すること特徴としている。異方性マット構造１０ｅは、好ましい方向を横断及び／又は直交する方向と比べて、好ましい方向から観察したときに入射光に対してより大きな散乱能及び／又はより大きな散乱角を有する。マット構造１０ｅの微細構造エレメント間の平均距離は、好ましくは、０．５μｍ〜１０μｍ、特に好ましくは０．８μｍ〜５μｍである。
【０１７７】
特に好ましくは、第１の微細構造１０の少なくとも３つ、好ましくは少なくとも５つの格子周期及び／又は第１の微細構造１０間の少なくとも３つ、好ましくは少なくとも５つの平均距離は、少なくとも１つの軌道２、特に軌道２の幅、及び／又は軌道の少なくとも１つの部分的領域、特に軌道２の部分的領域の幅に亘って配置される。
【０１７８】
特に好ましくは、少なくとも１つの第１の微細構造１０は、さらに、ベクトルｘ及びｙに亘る平面に対して各々の傾斜角で傾斜する複数のマイクロミラーの配置からなる。
【０１７９】
さらに好ましくは、第１の微細構造１０の一つ又は複数の第１の微細構造エレメントは、それぞれ、特にマイクロミラーを形成する少なくとも１つの第１又は第２のファセット面を有する。さらに好ましい実施例では、第１の微細構造１０は、レンズ構造、格子１０ａ、マット構造１０ｅ又はブレーズド格子１０ｄとして形成されてもよく、一つ又は複数のマイクロミラーとの組み合わせからなってもよい。好ましくは、格子１０ａは、正弦波状、長方形、鋸歯状及び／又は三角形の形状を有する。
【０１８０】
図３は、複数の湾曲した、閉じていない軌道２及び／又は軌道の部分的領域を有するセキュリティエレメントを示している。軌道及び／又は部分的領域は、交差領域１１において交差しかつ／又は重なる。
【０１８１】
図４は、３つの湾曲した曲線軌道２ａ，２ｂ，２ｃを有するセキュリティエレメント１の細部を示している。軌道２ｂ，２ｃは、特に交差領域１１において交差している。さらに、図４は、各々の軌道２ａ，２ｂ，２ｃに沿って配置された第１の微細構造１００ａ，１００ｂ，１００ｃを示している。
【０１８２】
好ましくは、第１の微細構造１００ａ，１００ｂ，１００ｃの配置及び／又は第１の微細構造１００ａ，１００ｂ，１００ｃの少なくとも１つの構造パラメータ、特に微細構造エレメントの間隔、レリーフ深さ、微細構造エレメントの長手方向の向き、好ましい方向、微細構造エレメント間の平均距離及び／又はマイクロミラーの傾斜角は、各々の軌道に沿って連続して及び／又は常に変化する。
【０１８３】
図４は、対応する軌道２ａ，２ｂ，２ｃに沿った格子構造１００ａ，１００ｂ，１００ｃの微細構造エレメントの長手方向の向き又は長手方向の範囲における配置の連続的な変化を例示している。したがって、各々の軌道２ａ，２ｂ，２ｃの全ての位置における格子構造１００ａ，１００ｂ，１００ｃの長手方向の範囲は、各々の軌道２ａ，２ｂ，２ｃにおける対応する位置の接線方向に対して平行に配置される。セキュリティエレメント１の細部における格子構造は、好ましくは、７つの格子周期の軌道を横断する幅を有する。
【０１８４】
好ましくは、一つ又は複数の軌道２ａ，２ｂ，２ｃの一つ又は複数の第１の微細構造１００ａ，１００ｂ，１００ｃの長手方向の範囲及び／又は配置は、輪郭、特に軌道２ａ，２ｂ，２ｃの内側輪郭、好ましくは外側輪郭を追従する。さらに好ましくは、一つ又は複数の軌道上のほとんどの点における、好ましくは軌道全体に沿った第１の微細構造の配置は、一つ又は複数の軌道の曲率半径ベクトルに対して同一の角度を有する。特に、一つ又は複数の第１の微細構造１００ａ，１００ｂ，１００ｃの長手方向の範囲及び／又は配置は、主に垂直に、特に曲率半径ベクトルに対して垂直に配置される。
【０１８５】
特に好ましくは、特に一つ又は複数の楕円形及び／又は円形軌道の場合、特に好ましい方向における第１の微細構造１００ａ，１００ｂ，１００ｃのほとんどの点、好ましくは少なくとも５０％の点、特に好ましくは７０％の点、特に好ましくは８５％の点、理想的には軌道２ａ，２ｂ及び／又は２ｃにおける全ての点における配置は、軌道２ａ，２ｂ，２ｃにおける垂直線、特に軌道２ａ、２ｂ、２ｃの一つまたは複数の接線ベクトルに垂直な線と同一に配置される。
【０１８６】
好ましくは、図４に例示するように、軌道２ａ，２ｂ，２ｃは、交差領域１１において交差する。図４に示す交差領域１１は、曲線軌道２ｂ，２ｃが互いに重なりかつ／又は交差する表面領域に対して幾何学的に対応する。図４の実施例では、軌道２ｃの第１の微細構造１００ｃだけが軌道２ｂ，２ｃの交差領域１１に存在し、軌道２ｂの第１の微細構造１００ｂは存在しない。
【０１８７】
図５は、第１の微細構造１００ａ，１００ｂ，１００ｃを含む３つの曲線軌道２ａ，２ｂ，２ｃを有するセキュリティエレメント１を示している。軌道２ｂ及び軌道２ｃは、特に交差領域１２４において交差している。さらに、軌道２ｂは、中断部１２２，１２４を有する。第１の微細構造１００ｂは、中断部１２２には設けられていない。交差領域１２４に微細構造１００ｂの中断部が存在する。さらに、軌道２ｃは、中断部１２１，１２３を有する。この中断部には、軌道２ｃの第１の微細構造１００ｃが設けられていない。
【０１８８】
さらに、特に中断部１２１，１２２，１２３，１２４の１つは、各々の軌道２ａ，２ｂ及び／又は２ｃが第１の微細構造１００ａ，１００ｂ，１００ｃを有していない表面領域に幾何学的に対応している。各々の軌道２ａ，２ｂ，２ｃの中断部１２１，１２２，１２３及び／又は１２４は、ランダム及び擬似ランダムに分配されている。好ましくは、中断部１２１〜１２４は、対応する接線ベクトルに平行及び／又は垂直にランダム及び／又は擬似ランダムに分配されている。
【０１８９】
図５の実施例は、軌道２ｃ及び軌道２ｂの交差領域１２４の外側に配置された複数の中断部１２１，１２２，１２３を有する。
【０１９０】
特に好ましくは、交差領域１２４に配置された中断部１２１，１２２及び／又は１２３は、軌道２ａ，２ｂ及び／又は２ｃの表面積及び／又は長さの０．１％〜３０％、好ましくは１％〜１０％を占める。微細構造の光学的効果に加えて、そのような中断部は、散乱効果を生じさせ、全体としてより無彩色の印象を与える。
【０１９１】
図６は、第１の微細構造１００ａ，１００ｂ，１００ｃを含む３つの曲線軌道２ａ，２ｂ，２ｃを有するセキュリティエレメント１の一実施例を示している。軌道２ｃは、２つのオフセット部１３１，１３２を有する。オフセット部１３１は、カットエッジ１３１ａ，１３１ｂに平行に延びており、軌道の部分的領域２１ａは、図６の観察方向に対するオフセット部１３１の全長に亘って下方にシフトしている。さらに、オフセット部１３２は、カットエッジ１３２ａ，１３２ｂに平行に延びており、軌道の部分的領域２２ａは、図６の観察方向に対するオフセット部１３２により左方にシフトしている。オフセット部１３１，１３２のシフト方向は、特に互いに直交するように位置している。
【０１９２】
オフセット部１３１，１３２によりシフトした部分的領域２１ａ，２２ａの表面積は、幅及び／又は部分的領域２１ａ又は２２ａの進行に亘る幅の進行、及び／又は部分的領域２１ａ又は２２ａのアーク長に依存している。部分的領域２１ａ又は２２ａは、幅及び／又はカットを有しないオリジナルの軌道２ｃの幅の進行を有し、そこから部分的領域２１ａ又は２２ａが取り除かれるか、部分的領域２１ａ又は２２ａがシフトしている。
【０１９３】
軌道２ａ，２ｂ，２ｃ及び／又は第１の微細構造１００ａ，１００ｂ，１００ｃのオフセット部１３１，１３２は、ランダムに及び／又は疑似的に分散され、特に配置され、かつ／又は、ランダムに及び／又は疑似ランダムに分散され、及び／又は対応する接線ベクトルと平行及び／又は直交して配置される。
【０１９４】
さらに好ましくは、一つ又は複数のオフセット部１３１，１３２は、軌道２ａ，２ｂ，２ｃ及び／又は第１の微細構造１００ａ，１００ｂ，１００ｃの一つ又は複数の幅よりも小さい。好ましくは、オフセットは、１μｍ〜１００μｍ、特に３μｍ〜５０μｍシフトされている。図５の中断部と同様に、オフセットは、付加的な散乱効果を生成し、全体としてセキュリティエレメントのより無彩色の印象をもたらす。
【０１９５】
図７は、第１の微細構造１００ａ，１００ｂ，１００ｃを含む３つの曲線軌道２ａ，２ｂ，２ｃを有するセキュリティエレメント１を示している。軌道２ｂ，２ｃはモザイク面１４を有している。モザイク面１４は、軌道２ｂ，２ｃの第１の微細構造１００ｂ，１００ｃを含む複数の部分的モザイク面１４１，１４２，１４３，１４４に分割されている。少なくとも１つの部分的モザイク面の第１の微細構造は、部分的モザイク面における残りの第１の微細構造と異なる。
【０１９６】
特に、軌道２ｂ，２ｃのモザイク面１４における第１の微細構造１００ｂ，１００ｃ及び／又は軌道２ｂ，２ｃの第１の微細構造１００ｂ，１００ｃのモザイク型の配置、特に格子が設けられている。これは、２つの軌道の中断部が観察者にとって目立ちにくいという効果を生じさせる。
【０１９７】
図８は、第１の微細構造１００ａ，１００ｂ，１００ｃを含む３つの曲線軌道２ａ，２ｂ，２ｃを有するセキュリティエレメント１を示している。交差領域１１における軌道２ｂ，２ｃは、モザイク面１４を有し、モザイク面１４は、第１の微細構造１００ｂ，１００ｃを含む複数の部分的モザイク面１４１，１４２，１４３，１４４に分割されている。さらに、図８は、表面１５の領域、特にモザイク面１４の近傍における部分的モザイク面１４１ａ，１４２ａ，１４３ａ，１４４ａを示している。部分的モザイク面１４１ａ，１４２ａ，１４３ａ，１４４ａは、第１の微細構造１００ｂ，１００ｃを有する。
【０１９８】
好ましくは、部分的モザイク面１４１，１４２，１４３，１４４，１４１ａ，１４２ａ，１４３ａ，１４４ａの少なくとも１つの第１の微細構造１００ｂ又は１００ｃは、残りの部分的モザイク面の第１の微細構造と異なっている。
【０１９９】
特に、表面１５の領域、したがって好ましくは部分的モザイク面１４１ａ，１４２ａ，１４３ａ，１４４ａは、１５０μｍ未満、好ましくは５０μｍ未満だけモザイク面１４から離れて設けられている。これらの部分的モザイク面は、軌道２ｂ，２ｃの連続的なムーブメント効果が中断されないように人間の裸眼に映る効果を有する。
【０２００】
図９ａは、イメージエレメント３を有するセキュリティエレメント１を示している。イメージエレメント３は、数字の「４」及び「２」からなり、数字の「４」が図９ａの観察方向において数字の「２」の上方に配置されている。
【０２０１】
図９ｂは、イメージエレメント３’を有するセキュリティエレメント１を示している。イメージエレメント３’は、１８０°回転した数字の４及び１８０°回転した数字の２からなる。１８０°回転した数字の「２」は、図９ｂの観察方向において、１８０°回転した数字の「４」の上方に配置されている。
【０２０２】
図９ａ，９ｂの実施例における軌道及び／又は第１の微細構造及び／又は軌道の移行は、軌道及び／又は第１の微細構造がイメージエレメント３からイメージエレメント３’への変形、特にモーフィング、好ましくは反転し得るように配置される。イメージエレメント３は上記軌道等に沿ってムーブメント効果を介してイメージエレメント３’に変形する。図９ａに示すイメージエレメント３の図９ｂに示すイメージエレメント３’への変形又は観察者が認識可能な変更は、光源及び／又は観察者に対するセキュリティエレメント１の傾斜及び／又は折曲及び／又は回転によって生じる。
【０２０３】
図１０ａは、イメージエレメント３を有するセキュリティエレメント１を概略的に示している。イメージエレメント３は数字の「５」を示している。イメージエレメント３の３つの例示的なイメージ点３ａ，３ｂ，３ｃは、セキュリティエレメント１が傾斜及び／又は折曲及び／又は回転するとき、曲線軌道２ａ，２ｂ，２ｃ又は軌道セクション上を軌道２ａ，２ｂ，２ｃの双方の方向に位置３０，３１，３２へと移動する。好ましくは、セキュリティエレメント１が傾斜及び／又は折曲及び／又は回転するときに、観察者は連続的なムーブメント効果を検知する。イメージエレメント３は、軌道２ａ，２ｂ，２ｃに沿って特定の方向Ｒ１へと特に位置３０，３１，３２の間を連続して移動することができ、かつ傾斜方向及び／又は折曲方向及び／又は回転方向が変わったときに、特定の方向Ｒ１とは反対つまり方向Ｒ２（又はその逆）へと移動する。
【０２０４】
図１０ｂは、照射下における数字の「５」をデザインした２つのイメージエレメント３，３’を有するセキュリティエレメント１の光学的作用を示す図である。各々のイメージエレメントは１つの光源により生じる。円軌道又は円形軌道に沿って、イメージエレメント３，３’を接続する一連のイメージ点として示された、好ましくはブレーズド構造、特に線形のブレーズド回折格子が配置されている。本実施例では、ブレーズド回折格子の格子周期は６μｍであり、ブレーズド回折格子の格子深さは２μｍである。本実施例において、軌道上の全ての位置における線形のブレーズド回折格子の長手方向の範囲は、軌道上の対応する位置における半径ベクトルに直交するように配置されている。
【０２０５】
図１０ｂに示すセキュリティエレメントが傾斜及び／折曲及び／又は回転するときに、光学的作用は、数字の「５」として形成されたイメージエレメント３，３’の移動からなる。観察者は、セキュリティエレメントの上方又は下方におけるイメージエレメントの仮想的な移動により、三次元の印象を得る。
【０２０６】
図１１ａ，１１ｂ，１１ｃは、ピラミッド形のイメージエレメント３を形成する４つのイメージ点３ａ，３ｂ，３ｃ，３ｄを含むセキュリティエレメント１を概略的に示している。４つの点状のエレメント３ａ，３ｂ，３ｃ，３ｄは、曲線軌道２ａ，２ｂ，２ｃ，２ｄにそれぞれ位置し、４つの三角形の面を有するピラミッドの頂点を形成する。セキュリティエレメント１が傾斜及び／又は折曲及び／又は回転すると、イメージ点はムーブメント効果を生じさせる。イメージ点３ａ，３ｂ，３ｃ，３ｄは、傾斜方向及び／又は折曲方向及び／又は回転方向に応じて、対応する軌道２ａ，２ｂ，２ｃ，２ｄにおいて前方及び／又は後方に移動する。
【０２０７】
図１１ａ，１１ｂ，１１ｃに示す曲線軌道ａ，２ｂ，２ｃ，２ｄは、互いに異なる曲率半径を有する。軌道２ａは、軌道２ｂ，２ｃ，２ｄよりも小さい曲率を有する。
【０２０８】
さらに、図１１ａ，１１ｂ，１１ｃは、対応する軌道２ａ，２ｂ，２ｃ，２ｄ上の動きの過程における異なる位置３０，３１，３２にある４つのイメージ点３ａ，３ｂ，３ｃ，３ｄを示している。図１１ａ，１１ｂ，１１ｃに示す軌道２ｂ，２ｃ，２ｄの曲率よりも小さい軌道２ａの曲率により、イメージ点３ａは、イメージ点３ｂ，３ｃ，３ｄよりも軌道２ａの長い範囲に亘っている。これにより、観察者により認識され得るピラミッドの三次元のムーブメント効果が実現する。
【０２０９】
図１１ａ，１１ｂ，１１ｃに示すそのような三次元の効果つまり３Ｄ効果は、三次元のピラミッドの二次元投影としてのイメージエレメント３の形成により生じる。軌道２ｂ，２ｃ，２ｄの曲率がより大きいため、移動時におけるピラミッドの３つのイメージ点３ｂ，３ｃ，３ｄの位置変化は僅かである。他方、ピラミッドの頂点にあるイメージ点３ａは、緩やかに湾曲した軌道２ａにおいてより長い範囲に亘る。観測者の脳がピラミッドの変形を三次元空間内の三次元オブジェクトの変形として解釈するように、ピラミッドは、観察者の視点のムーブメント効果の過程で変形する。
【０２１０】
イメージ点３ａ，３ｂ，３ｃ，３ｄのムーブメント効果は、少なくとも１つの光源及び／又は観察者に対して、セキュリティエレメント１の傾斜及び／又は折曲及び／又は回転により生じる。
【０２１１】
図１２ａ及び図１２ｂは、軌道上に配置された複数のイメージ点３ａ，３ｂを含む２つのイメージエレメント３，３’を有する図１１ａのセキュリティエレメント１の反転した光学的作用を示している。イメージエレメントは、互いに同一のピラミッド形状を有する。イメージエレメント３のイメージ点３ａは、互いからの距離が人間の目により解像され得るように互いに離間している。これにより、図１２ａにおけるピラミッド形のイメージエレメント３の個々のイメージ点が知覚され得る。他方、イメージエレメント３’のイメージ点３ｂは密度が非常に高いため、個々の点の互いの距離を人間の目で解像することができない。これにより、ピラミッド形のイメージエレメント３’は、僅かにぼやけた又は連続したピラミッド型の配置として知覚される。
【０２１２】
図１１ａ，１１ｂ，１１ｃ，１２ａ，１２ｂに示す軌道の円軌道又は円形軌道の半径は、ピラミッドの先端のイメージ点３ａにおいて１０ｍｍであり、ピラミッドの底部のイメージ点３ｃにおいて１ｍｍである。
【０２１３】
図１３ａ及び図１３ｂは、一つ又は複数の第２の微細構造により光学情報の第２の項目が生成された例示的なセキュリティエレメント１を示している。
【０２１４】
図１３ａは、特に図４に示した第１の微細構造エレメント１００ａ，１００ｂ，１００ｃを含む軌道２ａ，２ｂ，２ｃが第２の微細構造２０と隣接しているセキュリティエレメント１を示している。本図では、第１の微細構造エレメント１００ａ，１００ｂ及び／又は１００ｃは、微細構造２０の第２の微細構造エレメント２００ａと重なっていない。
【０２１５】
図１３ｂは、一つ又は複数の軌道が第１の光学的可変効果を生じさせる第１及び第２の微細構造を示している。本図では、軌道２ａ，２ｂは第２の微細構造２０の表面領域と交差している。
【０２１６】
好ましくは、図１３ｂの場合、第２の微細構造２０及び軌道２ａ，２ｂの表面領域は互いに格子化されている。このため、微細構造２０及び軌道２ａ，２ｂ，２ｃは、各々の場合に、少なくとも１つの特定の方向において複数のストリップ形状の部分的領域に分解される。これらのストリップ形状の部分的領域は、微細構造２０又は微細構造２０の一部を含むストリップ形状の部分的領域が一つ又は複数の軌道２ａ，２ｂ，２ｃ又は軌道２ａ，２ｂ，２ｃの一部を含むストリップ形状の部分的領域を有する交差部分の両側に隣接するように、各々の場合、互いに対して配置される。この結果、微細構造を含むストリップ形状の部分的領域及び軌道を含むストリップ形状の部分的領域は、交差方向に垂直な方向において空間的に互い違いになる。本実施例では、ストリップの幅は、好ましくは、３００μｍ未満である。
【０２１７】
第２の微細構造２０は、好ましくは、光学的に可変の情報の項目を生成する。
【０２１８】
第２の微細構造２０は、好ましくは、各々の場合、複数の第２の微細構造エレメント２００ａ，２００ｂを含む。第２の微細構造エレメント２００ａ，２００ｂは、好ましくは、第２の微細構造エレメントの間隔、レリーフ深さ、レリーフ形状及び／又は第２の微細構造エレメントの長手方向の向き等のパラメータによって特徴づけられる。
【０２１９】
第２の微細構造エレメント２００ａ及び／又は２００ｂは、好ましくは、図１３ｂに示すように配置された、特に三角形の外形状を有する線形の構造エレメントとして形成され、第２の光学的効果として、三次元に見えるレリーフイメージ、特に三次元的に無彩色に見えるレリーフイメージをもたらす。
【０２２０】
さらに、第２の微細構造２０は、複数の第２のファセット面を有する。第２のファセット面は、光が反射及び／又は回折されるとき、ファセット面の進行及び／又は傾斜角に応じてレリーフイメージをもたらす。
【０２２１】
しかし、第２の微細構造は、それぞれ、格子、特に正弦波及び／又は三角格子、異方性散乱構造、マット構造、ブレーズド回折格子及び／又は表面レリーフホログラムとして形成されてもよい。第１及び／又は第２の微細構造は、金属及び／又はＨＲＩ反射層及び／又は色ずれ効果を生じさせる層と組み合わされてもよい。また、第１及び第２の微細構造は、ホログラフィック露光により体積ホログラムに変換されてもよい。
【０２２２】
図１４ａ〜図１４ｅは、セキュリティエレメント１を有するセキュリティ文書の構造を示している。図１４ａ〜図１４ｅは、セキュリティエレメント１の上面図であり、図１４ｅは、異なる観察角度におけるセキュリティエレメント１のパターンを示している。
【０２２３】
図１４ａには、５つの点又はイメージ点３ｆ，３ｇ，３ｈ，３ｉ，３ｊを含み、図１ａのイメージエレメントと同一のイメージエレメントが図示されている。しかし、図１ａと異なり、円軌道又は円形軌道２ｆ，２ｇ，２ｈ，２ｉ，２ｊの中心又は中心点４ｆ，４ｇ，４ｈ，４ｉ，４ｊは、ランダムに又は擬似ランダムに配置されている。また、中心又は中心点４ｆ，４ｇ，４ｈ，４ｉ，４ｊの配置は、５つの点又は５つのイメージ点３ｆ，３ｇ，３ｈ，３ｉ，３ｊを含む、特に、５つの点又は５つのイメージ点３ｆ，３ｇ，３ｈ，３ｉ，３ｊの位置に応じて配置されたイメージエレメントを示していない。特にイメージ点３ｆ，３ｇ，３ｈ，３ｉ，３ｊを含む所望のイメージエレメントが所定の照射及び／又は観察角で観察者に見えるように、軌道２ｆ，２ｇ，２ｈ，２ｉ，２ｊにおける微細構造が好ましくは選択され、配置される。他の全ての照射及び／又は観察角では、軌道２ｆ，２ｇ，２ｈ，２ｉ，２ｊ上のイメージ点３ｆ，３ｇ，３ｈ，３ｉ，３ｊが分岐（逸脱）し、特にイメージ点３ｆ，３ｇ，３ｈ，３ｉ，３ｊを含むイメージエレメントは、もはや検知され得ない。図１４ｂ〜図１４ｄは、５つのイメージ点３ｆ，３ｇ，３ｈ，３ｉ，３ｊの分岐を概略的に示している。
【０２２４】
任意選択として、軌道のセクションだけが存在していてもよい。これらのセクションは、好ましくは、イメージエレメントが所定の照射及び／又は観察角で検知可能であるか、視認できる場所で終了する。これにより、特に正しい又は適切な角度構成を見つけやすくなる。同様に、任意選択として、異なる半径を円軌道又は円形軌道にランダム又は疑似ランダムに割り当ててもよい。
【０２２５】
図１４ｅ（ａ）〜（ｄ）は、円軌道又は円形軌道の擬似ランダムに配置された中心又は中心点を有する円軌道又は円形軌道を含むセキュリティエレメント１の例示的なデザインを示す写真である。円軌道又は円形軌道の２つの円軌道又は円形軌道を参照符号２ｉ，２ｊでそれぞれ示している。特に図１４ｅ（ａ）に示す中央の観察位置では、イメージ点から構成されたイメージエレメント３ＩＩは、文字「Ｋ」の形を表している。セキュリティエレメント１が右側に傾斜すると、イメージ点が分岐（逸脱）し、定義された割り当てが失われ、図１４ｅ（ｂ）〜図１４ｅ（ｄ）に示すようにイメージエレメント３ＩＩがもはや認識できなくなる。特に、文字「Ｋ」として認識可能なイメージエレメント３ＩＩは、右側に傾斜した場合、拡散イメージエレメント３ＩＩＩとなる。
【０２２６】
図１５は、照射下で数字「５」及び文字「Ｋ」として現れる２つのイメージエレメント３ＩＶ，３Ｖを含むセキュリティエレメント１の光学的作用を示す２つの写真である。２つのイメージエレメント３ＩＶ，３Ｖは、好ましくは、単一の光源によりもたらされる。本実施例では、円軌道又は円形軌道は、好ましくは、２つのイメージエレメント３ＩＶ，３Ｖについて計算され、その後、一方が他方の上に配置される。好ましくは、計算ソフトウェアは、円軌道又は円形軌道の多くの交点を２つのイメージエレメント３ＩＶ，３Ｖに略均等に割り当てる。これにより、特に双方のイメージエレメント３ＩＶ，３Ｖが実質的に同じように明るく見えるようになる。微細構造は、非対称であることが好ましく、特に、例えば、ブレーズド回折格子又はマイクロミラーなどのブレーズド構造であることが好ましい。これらの微細構造は、２つのイメージエレメント３ＩＶ，３Ｖが、好ましくは、円軌道又は円形軌道の同じ位置で光らないように、２つのイメージエレメント３ＩＶ，３Ｖの円軌道又は円形軌道に配置及び配列される。イメージエレメントは、円軌道又は円形軌道上で正反対に表れることが好ましい。例えば、微細構造は、２つのイメージエレメント３ＩＶ，３Ｖが特に円の同一方向に移動するように配置される。図１５のセキュリティエレメントが傾斜及び／又は回転するときの光学的作用は、好ましくは、円軌道又は円形軌道上の場所を交換したイメージエレメント「５」及び「Ｋ」の位置からなる。また、特に本実施例では、ブレーズド回折格子の格子周期は６μｍであり、ブレーズド回折格子の格子深さは２μｍである。ブレーズド回折格子の代わりに、例えば正弦波格子などの対称格子が使用されている場合、両方のイメージエレメントが同時に表示されるため、特に２つの位置で重なる。傾斜及び／又は回転時における２つのイメージエレメントの位置の交換又は場所の交換を確認することにより、好ましくは、ブレーズドタイプの微細構造の存在を単純かつ間接的に証明することができる。
【０２２７】
前述したように、図１５（ａ）は、イメージエレメント３ＩＶ，３Ｖを有するセキュリティエレメント１を示している。イメージエレメント３ＩＶは、数字「５」としてデザインされ、そのように観察者に認識される。イメージエレメント３Ｖは、文字「Ｋ」としてデザインされ、そのように観察者に認識される。図１５（ｂ）は、イメージエレメント３ＶＩ，３ＶＩＩを有するセキュリティエレメント１であって、図１５（ａ）のセキュリティエレメント１が右側に傾斜した後のセキュリティエレメント１を示している。イメージエレメント３ＶＩは、文字「Ｋ」としてデザインされ、そのように観察者に認識される。イメージエレメント３ＶＩＩは、文字「Ｋ」としてデザインされ、そのように観察者に認識される。好ましくは、所定位置にあるイメージエレメント３ＩＶ（数字「５」）は、セキュリティエレメント１が右側に傾斜したときにイメージエレメント３ＶＩ（文字「Ｋ」）と交換され、所定位置にあるイメージエレメント３Ｖ（文字「Ｋ」）は、セキュリティエレメント１が右側に傾斜したときにイメージエレメント３ＶＩＩ（数字の「５」）と交換される。
【０２２８】
図１６ａ〜図１６ｄは、セキュリティエレメント１を含むセキュリティ文書の構造を示している。本実施例では、中心又は中心点４ｋ、特に少なくとも７５％、好ましくは少なくとも９０％、特に好ましくは全ての円軌道又は円形軌道２ｋ，２ｌ，２ｍ，２ｎ，２ｏ，２ｐは、同一又は略同一である。略同一とは、特にほとんど、好ましくは全ての円軌道又は円形軌道２ｋ，２ｌ，２ｍ，２ｎ，２ｏ，２ｐの中心又は中心点４ｋが、特に最大の円軌道又は円形軌道２ｋの半径Ｒｋの１０％以下、好ましくは半径Ｒｋの５％以下である最大距離を互いの間に有し、かつ／又は、特にほとんど、好ましくは全ての円軌道又は円形軌道２ｋ，２ｌ，２ｍ，２ｎ，２ｏ，２ｐの中心又は中心点が、３ｍｍ以下、さらに好ましくは１ｍｍ以下、特に好ましくは０．５ｍｍ以下である最大距離を互いの間に有していることを意味している。各々の円軌道又は円形軌道２ｋ，２ｌ，２ｍ，２ｎ，２ｏ又は２ｐの半径Ｒｋ，Ｒｌ，Ｒｍ，Ｒｎ，Ｒｏ又はＲｐは、イメージエレメント３ＶＩＩＩの割り当てられたイメージ点３ｋ，３ｌ，３ｍ，３ｎ，３ｏ，３ｐの各々の位置に起因している。軌道２ｋ，２ｌ，２ｍ，２ｎ，２ｏ，２ｐにおける微細構造は、好ましくは、イメージエレメント３ＶＩＩＩが所望の照射及び観察角の状態で表れるように、選択され、配置される。セキュリティエレメント１が傾斜又は回転すると、イメージエレメント３ＶＩＩＩは、好ましくは、円軌道又は円形軌道２ｋ，２ｌ，２ｍ，２ｎ，２ｏ，２ｐの中心又は中心点４ｋを中心として軌道２ｋ，２ｌ，２ｍ，２ｎ，２ｏ，２ｐに沿って回転する。例えば、イメージエレメントは、傾斜又は回転の場合に円を描く鳥を表すことができる。同様に、第２のイメージエレメントのため、２つのイメージエレメントが好ましくは同じ位置で光らないように微細構造を配置するため円軌道又は円形軌道の一方が他方の上に位置してもよい。例えば、第１のイメージエレメントが鳩を表し、第２のイメージエレメントが鷲を表してもよい。傾斜又は回転の場合、鷲が鳩の後ろを仮想的に飛ぶ。
【０２２９】
全ての円軌道又は円形軌道の同一又は略同一である中心又は中心点を有して設計されたセキュリティエレメント１は、重なる円軌道又は円形軌道がほとんどなく、したがって、イメージエレメントがより明るく表れるという利点を有する。
【０２３０】
図１７ａ〜図１７ｅは、セキュリティエレメント１を含むセキュリティ文書の構造を示している。本実施例では、少なくとも７５％、好ましくは少なくとも９０％、特に好ましくは全ての円軌道又は円形軌道２ｑ，２ｒ，２ｓ，２ｔ，２ｕ又は円軌道セクション又は円形軌道２ｑ，２ｒ，２ｓ，２ｔ，２ｕのセクションの中心又は中心点４ｑは、同一又は略同一である。略同一とは、好ましくは、特にほとんど、好ましくは全ての円軌道又は円形軌道２ｑ，２ｒ，２ｓ，２ｔ，２ｕ又は円軌道セクション又は円形軌道セクション２ｑ，２ｒ，２ｓ，２ｔ，２ｕの中心又は中心点４ｑが、最大の円軌道又は円形軌道２ｑ又は最大の円軌道セクション２ｑの半径Ｒｑの１０％以下、好ましくは半径Ｒｑ５％以下である最大距離を互いの間に有し、及び／又は、特にほとんど、好ましくは全ての円軌道又は円形軌道２ｑ，２ｒ，２ｓ，２ｔ，２ｕ又は円形軌道２ｑ，２ｒ，２ｓ，２ｔ，２ｕの全ての円軌道セクション又はセクションの中心又は中心点４ｑが、３ｍｍ以下、さらに好ましくは１ｍｍ以下、特に好ましくは０．５ｍｍ以下である最大距離を互いの間に有していることを意味している。各々の円軌道又は円形軌道２ｑ，２ｒ，２ｓ，２ｔ又は２ｕ又は各々の円軌道セクション又は円形軌道セクション２ｑ，２ｒ，２ｓ，２ｔ，２ｕの半径２ｑ，２ｒ，２ｓ，２ｔ，２ｕは、イメージエレメント３ＩＸの割り当てられたイメージ点２ｑ，２ｒ，２ｓ，２ｔ，２ｕの各々の位置に起因している。円軌道又は円形軌道２ｑ，２ｒ，２ｓ，２ｔ，２ｕ又は円軌道セクション又は円形軌道セクション２ｑ，２ｒ，２ｓ，２ｔ，２ｕにおける微細構造は、好ましくは、イメージエレメント３ＩＸが所望の照射及び観察角の状態で表れるように、選択され、配置される。セキュリティエレメント１が傾斜及び／又は回転すると、イメージエレメント３ＩＸは、好ましくは、消失及び／又は再出現及び／又は継続的に存在するイメージ点３ｑ，３ｒ，３ｓ，３ｔ，３ｕにより、アニメーション（動画）が観察者に認識されるように変化する。例えば、イメージエレメントは、傾斜又は回転の場合、円を描いて飛ぶ鳥を表わすことができ、その過程で羽をはばたかせているように見える。
【０２３１】
図１７ｂ〜図１７ｅは、点（種）３ｑ，３ｒ，３ｓ，３ｔ，３ｕのアニメーション（動画）を示している。５つの点３ｑ，３ｒ，３ｓ，３ｔ，３ｕのアニメーション（動画）は、２つの点３ｑ，３ｕまで「数を数える」。すなわち、点の数が、特に図１７ｂ〜図１７ｅの順に１つの点ずつ減少する。
【０２３２】
同様に、第２のイメージエレメントのため、円軌道又は円形軌道の１つを他の軌道の上に重ねてもよい。微細構造は、特に２つのイメージエレメントが同じ場所で光らないように配置、配列される。例えば、第１のイメージエレメントは、飛ぶ鳥のアニメーションを表し、第２のイメージエレメントは、変化しないイメージエレメント、例えば額面金額等を表してもよい。アニメーションと不変のイメージエレメントとの組み合わせは、情報の伝達が容易であり、したがって、偽造に対する保護が向上する。
【符号の説明】
【０２３３】
１  セキュリティエレメント
２，２ａ，２ｂ，２ｃ，２ｄ，２ｅ  軌道
２０ａ  軌道の内側輪郭
２０ｂ  軌道の外側輪郭
２１ａ，２２ａ  軌道の部分的領域
３，３’  イメージエレメント
３ａ，３ｂ，３ｃ，３ｄ，３ｅ  イメージ点
３００ａ，３００ｂ，３００ｃ，３００ｄ，３００ｅ，３００ｆ  接続線
３０，３１，３２，３３  位置
４ａ，４ｂ，４ｃ，４ｄ，４ｅ  軌道の中心点
５  セキュリティ文書
５１  文書本体
５２  装飾層
５３  接着層
５４  保護層
Ｒａ，Ｒｂ，Ｒｃ，Ｒｄ，Ｒｅ  半径
Ｂ  幅
Λ  格子周期
Ｒ１，Ｒ２  方向
Ｍ  中心点
α  方位角
１０  第１の微細構造
２０  第２の微細構造
１００  第１の微細構造エレメント
１０ａ  正弦波格子
１０ｄ  ブレーズド格子
１０ｅ  異方性の  マット構造
１００ａ，１００ｂ，１００ｃ  第１の微細構造
１１，１２  交差領域
１２１，１２２，１２３  中断部
１３，１３１，１３２  オフセット
１４  モザイク面
１４１，１４２，１４３，１４４  部分的モザイク面
１４１ａ，１４２ａ，１４３ａ，１４４ａ  部分的モザイク面
１５  自由な表面領域
２００ａ，２００ｂ  第２の微細構造
２ｆ，２ｇ，２ｈ，２ｉ，２ｊ  軌道
３ＩＩ，３ＩＩＩ，３ＩＶ，３Ｖ，３ＶＩ  イメージエレメント
３ｆ，３ｇ，３ｈ，３ｉ，３ｊ  イメージ点
４ｆ，４ｇ，４ｈ，４ｉ，４ｊ  中心点
Ｒｆ，Ｒｇ，Ｒｈ，Ｒｉ，Ｒｊ  半径
２ｋ，２ｌ，２ｍ，２ｎ，２ｏ，２ｐ  軌道
３ＶＩＩＩ  イメージエレメント
３ｋ，３ｌ，３ｍ，３ｎ，３ｏ，３ｐ  イメージ点
４ｋ  中心点
Ｒｋ，Ｒｌ，Ｒｍ，Ｒｎ，Ｒｏ，Ｒｐ  半径
２ｑ，２ｒ，２ｓ，２ｔ，２ｕ  軌道
３ＩＸ，３Ｘ，３ＸＩ，３ＸＩＩ  イメージエレメント
３ｑ，３ｒ，３ｓ，３ｔ，３ｕ  イメージ点
４ｑ  中心点
【図１ａ−１ｄ】
2020512589.tif 000003
【図１ｅ】
2020512589.tif 000004
【図２ａ】
2020512589.tif 000005
【図２ｂ】
2020512589.tif 000006
【図２ｃ】
2020512589.tif 000007
【図２ｄ】
2020512589.tif 000008
【図３】
2020512589.tif 000009
【図４】
2020512589.tif 000010
【図５】
2020512589.tif 000011
【図６】
2020512589.tif 000012
【図７】
2020512589.tif 000013
【図８】
2020512589.tif 000014
【図９ａ】
2020512589.tif 000015
【図９ｂ】
2020512589.tif 000016
【図１０ａ】
2020512589.tif 000017
【図１０ｂ】
2020512589.tif 000018
【図１１ａ】
2020512589.tif 000019
【図１１ｂ】
2020512589.tif 000020
【図１１ｃ】
2020512589.tif 000021
【図１２ａ】
2020512589.tif 000022
【図１２ｂ】
2020512589.tif 000023
【図１３ａ】
2020512589.tif 000024
【図１３ｂ】
2020512589.tif 000025
【図１４ａ】
2020512589.tif 000026
【図１４ｂ】
2020512589.tif 000027
【図１４ｃ】
2020512589.tif 000028
【図１４ｄ】
2020512589.tif 000029
【図１４ｅ】
2020512589.tif 000030
【図１５（ａ）】
2020512589.tif 000031
【図１５（ｂ）】
2020512589.tif 000032
【図１６ａ】
2020512589.tif 000033
【図１６ｂ】
2020512589.tif 000034
【図１６ｃ】
2020512589.tif 000035
【図１６ｄ】
2020512589.tif 000036
【図１７ａ】
2020512589.tif 000037
【図１７ｂ】
2020512589.tif 000038
【図１７ｃ】
2020512589.tif 000039
【図１７ｄ】
2020512589.tif 000040
【図１７ｅ】
2020512589.tif 000041
【国際調査報告】
2020512589.tif 000042
2020512589.tif 000043
2020512589.tif 000044
2020512589.tif 000045
2020512589.tif 000046
2020512589.tif 000047
2020512589.tif 000048
2020512589.tif 000049
2020512589.tif 000050